(57)【特許請求の範囲】
【請求項１】
筒状筐体と、レーザー光を生成するレーザー光源と、レーザー光からレーザービームを生成する光学系とを備え、該レーザービームの輝点を被投影面に投影するレーザービームポインターにおいて、
当該レーザービームポインターの単位時間当たりの変位を測定して、前記被投影面上に投影されたレーザービームの輝点の移動情報を検出する移動検出手段と、
該移動検出手段が検出した輝点の移動情報と予め設定されている前記被投影面上の輝点の移動情報とを照合して該被投影面上の輝点が指示状態にあるか否かを判断し、前記被投影面上の輝点が指示状態にないと判断した場合に、前記レーザー光源の出力を下げる制御または前記レーザービームの投影を弱める制御を行う制御手段とを備え、
前記移動検出手段は、前記当該レーザービームポインターの単位時間当たりの変位を測定するための、当該レーザービームポインターの指し示す角度の変化を測定する角度センサーと当該レーザービームポインターと前記被投影面間の距離を測定する距離センサーとからなることを特徴とするレーザービームポインター。
【請求項２】
筒状筐体と、レーザー光を生成するレーザー光源と、レーザー光からレーザービームを生成する光学系とを備え、該レーザービームの輝点を被投影面に投影するレーザービームポインターにおいて、
当該レーザービームポインターの単位時間当たりの変位を測定して、前記被投影面上に投影されたレーザービームの輝点の移動情報を検出する移動検出手段と、
該移動検出手段が検出した輝点の移動情報と予め設定されている前記被投影面上の輝点の移動情報とを照合して該被投影面上の輝点が指示状態にあるか否かを判断し、前記被投影面上の輝点が指示状態にないと判断した場合に、前記レーザー光源の出力を下げる制御または前記レーザービームの投影を弱める制御を行う制御手段とを備え、
前記移動検出手段は、前記当該レーザービームポインターの単位時間当たりの変位を測定するための、当該レーザービームポインターの指し示す方位の変化を測定する方位センサーと当該レーザービームポインターと前記被投影面間の距離を測定する距離センサーとからなることを特徴とするレーザービームポインター。
【請求項３】
前記制御手段は、前記レーザー光源の出力の調整を行うスイッチング手段を有することを特徴とする請求項１または２記載のレーザービームポインター。
【請求項４】
前記制御手段は、前記レーザービームの投影を弱める減光手段を有することを特徴とする請求項１または２記載のレーザービームポインター。
【請求項５】
前記減光手段は、シャッターであることを特徴とする請求項４記載のレーザービームポインター。
【請求項６】
前記減光手段は、フィルターであることを特徴とする請求項４記載のレーザービームポインター。
【請求項７】
前記レーザービームの色を加工する色加工手段を備えたことを特徴とする請求項１〜６のいずれかに記載のレーザービームポインター。
【請求項８】
当該レーザービームポインターにより輝点が生成される被投影面上の画像情報、若しくは、当該レーザービームポインターにより輝点が生成される被投影面上の輝点の位置情報よりなる輝点環境を検出する輝点環境検出手段と、該輝点環境検出手段の出力に応じて前記輝点の輝度を調整する輝度調整手段とを備えたことを特徴とする請求項１〜７のいずれかに記載のレーザービームポインター。
【発明の詳細な説明】
【０００１】
【発明の属する技術分野】
本発明は、レーザービームポインターに関し、特にスクリーン上に投影されたレーザービームが、各種環境下であっても鮮明に見えるようにしたレーザービームポインターに関する。
【０００２】
【従来の技術】
従来、会議やプレゼンテーション等においてスクリーンに投影されている説明内容を指し示すために、レーザー光線によって対象を指示することができるレーザービームポインターが用いられている。このレーザービームポインターは、従来から用いられている指し棒と異なって、レーザー光線が届くかなりの遠距離の対象をも指し示すことができるため、説明者（プレゼンター）とスクリーンとが遠くなってしまう大規模な会議等においては極めて便利である。
【０００３】
しかし、従来のレーザービームポインターは、レーザービームポインターを把持するプレゼンターの手が振るえると、この振るえがそのままレーザー光線の振れとなってしまうため、スクリーン上でのレーザー光線による光点が振動し、指示点が定まらないばかりか、聴視者に不快感を与えてしまっていた。特に、遠距離の対象を指示する場合には、レーザービームポインターの小さな振れによっても遠隔の光点は大きく振れてしまうため、上記の問題は顕著であった。
【０００４】
かかる問題点の解決手段として、特開平11-85007号公報が提案されている。この提案のレーザービームポインターは、レーザー発振器の向きを変更することにより光線の方向を変更する圧電素子手段を備えている。そして、その使用において、角度検出手段がレーザービームポインターを把持するプレゼンターの手振れを検出すると、信号処理手段が前記検出された手振れに基づいて圧電素子手段によりレーザー発振器の向きを変更させ、この手振れによる光線Ｌの振れを相殺させる。これによって、手振れによる光線光点のチラツキを防止することができる。
【０００５】
【発明が解決しようとする課題】
しかしながら、実際にレーザービームポインターを使用すると、前記手振れの抑制以外にも改善すべき点が多々ある。例えば、以下に示すとおりである。
▲１▼   スクリーン上に投影されたレーザービームには後述の「指示状態」と「移動状態」があるが、従来は移動状態の際に輝点の動きがスクリーン上のコンテンツ表示を妨害している。
▲２▼   スクリーン上の輝度に比べ輝点の輝度が弱い場合、スクリーン上に表示されている色と輝点の色が似た色であった場合、スクリーン上を輝点が移動している場合等に輝点がスクリーン上で埋もれて見づらくなってしまう。
【０００６】
そこで本発明の課題は、スクリーン上に投影されたレーザービームが、各種環境下であっても鮮明に見えるようにしたレーザービームポインターを提供することである。
【０００７】
【課題を解決するための手段】
前記課題を解決するために請求項１の発明は、筒状筐体と、レーザー光を生成するレーザー光源と、レーザー光からレーザービームを生成する光学系とを備え、該レーザービームの輝点を被投影面に投影するレーザービームポインターにおいて、当該レーザービームポインターの単位時間当たりの変位を測定して、前記被投影面上に投影されたレーザービームの輝点の移動情報を検出する移動検出手段と、該移動検出手段が検出した輝点の移動情報と予め設定されている前記被投影面上の輝点の移動情報とを照合して該被投影面上の輝点が指示状態にあるか否かを判断し、前記被投影面上の輝点が指示状態にないと判断した場合に、前記レーザー光源の出力を下げる制御または前記レーザービームの投影を弱める制御を行う制御手段とを備え、前記移動検出手段は、前記当該レーザービームポインターの単位時間当たりの変位を測定するための、当該レーザービームポインターの指し示す角度の変化を測定する角度センサーと当該レーザービームポインターと前記被投影面間の距離を測定する距離センサーとからなることを特徴とする。また、請求項２の発明は、筒状筐体と、レーザー光を生成するレーザー光源と、レーザー光からレーザービームを生成する光学系とを備え、該レーザービームの輝点を被投影面に投影するレーザービームポインターにおいて、当該レーザービームポインターの単位時間当たりの変位を測定して、前記被投影面上に投影されたレーザービームの輝点の移動情報を検出する移動検出手段と、該移動検出手段が検出した輝点の移動情報と予め設定されている前記被投影面上の輝点の移動情報とを照合して該被投影面上の輝点が指示状態にあるか否かを判断し、前記被投影面上の輝点が指示状態にないと判断した場合に、前記レーザー光源の出力を下げる制御または前記レーザービームの投影を弱める制御を行う制御手段とを備え、前記移動検出手段は、前記当該レーザービームポインターの単位時間当たりの変位を測定するための、当該レーザービームポインターの指し示す方位の変化を測定する方位センサーと当該レーザービームポインターと前記被投影面間の距離を測定する距離センサーとからなることを特徴とする。このようにすれば、移動検出手段は当該レーザービームポインターの単位時間当たりの変位を測定して被投影面（スクリーン）上に投影されていた輝点の移動情報を検出し、単位時間当たりの輝点の移動を移動情報として取得する。制御手段は、単位時間当たりの移動情報と予め設定されている前記被投影面上の輝点の移動情報とを照合して該被投影面上の輝点が指示状態にあるか否かを判断し、前記被投影面上の輝点が指示状態にないと判断した場合に、輝点は指示状態から移動状態に変移したとして、輝点の輝度を弱め、若しくは消去し、前記被投影面上の輝点が指示状態にあると判断した場合に、輝点は移動状態から指示状態に変移したとして、輝点の輝度を元に戻すように制御する。従って、被投影面上に投影されたレーザービームによる指示状態を明確にすることができる。
【０００８】
また、請求項７の発明は、請求項１〜６の発明において、前記レーザービームの色を加工する色加工手段を備えたことを特徴とする。このようにすれば、色加工手段は、当該レーザービームポインターの射出するレーザービームの色に種々の加工を施すので、輝点がスクリーンの状態によらず常に判別できるようになる。
【０００９】
また、請求項８の発明は、請求項１〜７の発明において、当該レーザービームポインターにより輝点が生成される被投影面上の画像情報、若しくは、当該レーザービームポインターにより輝点が生成される被投影面上の輝点の位置情報よりなる輝点環境を検出する輝点環境検出手段と、該輝点環境検出手段の出力に応じて前記輝点の輝度を調整する輝度調整手段とを備えたことを特徴とする。このようにすれば、輝点環境検出手段は、レーザービームがスクリーン上に投影されてなる輝点環境を測定して種々の輝点環境を取得する。輝度調整手段は、輝点環境が所定の値を越えると、輝点の輝度を調整し、輝点環境が所定の値以内に戻ると輝点の輝度 を元に戻すように制御する。従って、輝点は輝点環境によらず常に判別できる輝度で生成される。
【００１０】
【発明の実施の形態】
以下、本発明を図示の実施の形態に基づいて説明する。
（１）  第１の実施の形態
図１に第１の実施の形態のレーザービームポインターＬＰの使用状態を示す。
図1に示すように、レーザービームポインターＬＰは、会議室ＭＲにおける会議等で説明者ＥＸが観衆ＡＵに対して、「被投影面」である大きなスクリーンＳＣを使用してプレゼンテーションを行う場合等でしばしば用いられている。特に、指や指示棒で差し示すことが困難な場合に威力を発揮し、そのために遠方までレーザービームＬＢが届くように設計されている。
【００１１】
スクリーンＳＣ上のレーザービームＬＢの輝点は、大きく分けて「指示状態」と「移動状態」の二つの状態がある。
「指示状態」とは、プレゼンテーターの意図によりレーザービームＬＢの輝点がスクリーンＳＣ上の任意の部位を指し示している状態である。また、「移動状態」とは、上記以外の状態であり、例えば、レーザービームＬＢの輝点が、ある部位からプレゼンテーター（説明者）ＥＸの意図するスクリーンＳＣ上の任意の部位に移動する途中の状態や、手ぶれ等によりレーザービームＬＢの輝点が、スクリーンＳＣ上で暴れている状態である。
【００１２】
従来のレーザービームポインターＬＰは、輝点がある指示状態から別の指示状態に移る間の移動状態にあるときも、輝点が常に同じ状態でスクリーンＳＣ上に投影され、輝点の動きがスクリーンＳＣ上に投影されたコンテンツ表示の妨げになるという問題があった。
また、レーザービームポインターＬＰは、主に指示棒や指等で指示できない遠方に対して用いられることが多く、この場合手ぶれによるレーザービームポインターＬＰの少しの角度変化が増幅されてスクリーンＳＣ上に投影され、輝点の動きがスクリーンＳＣ上に投影されたコンテンツ表示の妨げになるという問題があった。
【００１３】
この問題を解決するためには、プレゼンテーターが、意図的にレーザービームポインターＬＰの電源を、度々オフにするなどの手段を講じなければならなかった。
このため、面倒な手段を講じることなくスクリーンＳＣ上に投影されたコンテンツ表示を妨げないためには、輝点がある指示状態から別の指示状態に移る間の移動状態にあるときや、手ぶれにより輝点がスクリーンＳＣ上で暴れているときには、その輝度が自動的に弱まる、若しくは消去されるのが好ましい。
これ以降に説明するレーザービームポインターは、上記問題を解決するための機能を有するものである。
【００１４】
本実施の形態のレーザービームポインターは、図2に示すように、レーザービームがスクリーン上に投影されてなる輝点の移動量を検出する移動検出手段を備えることにより、単位時間当たりの輝点の移動量を移動情報として取得し（ステップＳ１）、単位時間当たりの移動量が所定の値を越えると（ステップＳ２：ＮＯ）、輝点は指示状態から移動状態に変移したとして、輝点の輝度を弱め、若しくは消去し（ステップＳ３）、単位時間当たりの移動量が所定の値以下に戻ると、輝点は移動状態から指示状態に変移したとして、輝点の輝度を元に戻すように構成されたレーザービームポインターである。
【００１５】
ここで、制御手段は、レーザー光源や光学系等に物理的な力を作用させレーザービームの光軸を筐体からレーザービームを射出する経口よりずらすことにより、レーザービームの射出状態を調整する装置、例えば、ディジタル信号処理回路とプリズムレンズを組み合わせた制御装置、またはレーザー光源の入力電圧をオンオフシフト若しくは他段階シフトを行いレーザービームの出力を調整する装置、例えば、スイッチング装置等のレーザービームＬＢの状態を制御する制御装置を備えている。
【００１６】
ここで、プリズムレンズは平行に配設された二枚の板状透明部材と、板状透明部材を筒状に接続する軟性部材と、板状透明部材と軟性部材とが形成する筒状空間内に密閉され板状透明部材と屈折率の等しい液体と、軟性部材中に光軸に沿って配設されたピエゾ素子とにより構成される。プリズムレンズはディジタル信号処理回路の制御信号がない場合には、二枚の板状当面部材が平行のままでレーザービームをそのまま通し、ディジタル信号処理回路の制御信号がある場合には、駆動手段の働きにより変形することから二枚の板状透明部材が平行でなくなり屈折率が変化する。このため、ディジタル信号処理回路とプリズムレンズを組み合わせた制御装置はプリズムレンズを通過するレーザービームの筐体の経口に対する光軸をずらし、レーザービームの射出状態を調整する。
【００１７】
また、移動検出手段は、輝点とスクリーンの位置関係の変化を測定する装置、例えば、変位センサー、またはスクリーンとレーザービームポインターの位置関係の変化を測定する装置、例えば、距離センサー、またはレーザービームポインターの動きの変化を測定する装置、例えば、方位センサー、角度センサー、加速度センサー、またはそれらを組み合わせて測定する装置等の直接的又は間接的な手段によりスクリーン上での輝点の移動を検出する測定装置を備えている。
【００１８】
（１−１）実施の形態１
図３に本実施の形態のレーザービームポインターＬＰ１の構成図を示す。レーザービームポインターＬＰ１は、筒状筐体１１と、レーザー光を生成するレーザー光源１２と、レーザー光からレーザービームＬＢを生成する光学系１３とを備えたレーザービームポインターであり、輝点の移動を検出する移動検出手段１４と、輝点の投影を制御する制御手段１５と、を備えている。
【００１９】
ここで、筐体１１は筒状のプラスチックにより形成されており，また、レーザー光源１２は最大定格出力が5mW、光波長が635nmである赤色半導体レーザー発振器を用いている。光学系１３は半導体レーザーからの発散光から、ピンぼけのない長いスリット光を生成するため、発光源から出射される単一波長の光をコリメートレンズに通して平行光とし、この平行光をシリンドリカルレンズにより楕円形スポット光にし、さらに、このスポット光を複数個の格子を有する回折格子に通過させて得られる複数個の楕円光の先端部分を重ねてつなぎ、全体で１本の長いスリット光とするように構成している。
【００２０】
また、移動検出手段１４は変位センサーを、制御手段１５はディジタル信号処理回路を用いている。変位センサーには、例えばニッテツ北海道制御システム株式会社製のIRD-20等がある。センサーは移動体の位置測定に優れた光は距離センサーを採用しており、反射シートまたは測定物体に赤外光を射出し、拡散反射光を受光して距離を測定する。IRD-20は表面につやのある物体に対して20mまで測定可能で、光源は発光ダイオードなので、目を保護する必要がないという特徴を有している。
【００２１】
以下、図３のレーザービームポインターＬＰの作用について説明する。移動検出手段１４はスクリーンＳＣ上の輝点の移動情報を検出し、制御手段１５に信号を通知する。制御手段１５は移動検出手段１４が検出したスクリーンＳＣ上の輝点の移動情報を、予め設定されているスクリーンＳＣ上の輝点の移動情報と照合し、スクリーンＳＣ上の輝点が指示状態にあるのか否かを判断する。
ここで、スクリーンＳＣ上の輝点が指示状態にあると判断した場合は、制御手段１５は処理を終了する。レーザー光源１２で発振されたレーザービームＬＢは、光学系１３を通じてスクリーンＳＣに向かって強く照射される。スクリーンＳＣ上に強い光で照射されたレーザービームＬＢは、プレゼンテーション会場にいる観衆ＡＵに対しプレゼンテーターが指示状態であることを示す。
【００２２】
また、スクリーンＳＣ上の輝点が指示状態にないと判断した場合は、制御手段１５はレーザー光源１２に信号を通知する。レーザー光源１２は制御手段１５からの信号に応じてレーザー出力を下げる。レーザー光源１２で発振されたレーザービームＬＢは、光学系１３を通じてスクリーンＳＣに向かって弱く照射される。スクリーンＳＣ上に弱い光で照射されたレーザービームＬＢは、プレゼンテーション会場にいる観衆ＡＵに対しプレゼンテーターが指示状態でないことを示す。
このように、上記レーザービームポインターＬＰ１はスクリーンＳＣ上に投影されたレーザービームＬＢによる指示状態を明確にすることができる。
【００２３】
（１−２）実施の形態２
図４に本実施の形態のレーザービームポインターＬＰ２の構成図を示す。なお、以下の各実施の形態の説明において、既に説明済みの部分は同一符号を付し、重複記載を省略する。レーザービームポインターＬＰ２は、レーザー光源１２の調整を行うスイッチング手段１５Ａを有する制御手段を備えている。以下、レーザービームポインターＬＰ２の作用について説明する。移動検出手段１４はスクリーンＳＣ上の輝点の移動情報を検出し、制御手段に信号を通知する。ディジタル信号処理回路は移動検出手段１４が検出したスクリーンＳＣ上の輝点の移動情報を、予め設定されているスクリーンＳＣ上の輝点の移動情報と照合し、スクリーンＳＣ上の輝点が指示状態にあるのか否かを判断する。ここで、スクリーンＳＣ上の輝点が指示状態にあると判断した場合は、ディジタル信号処理回路は処理を終了する。レーザー光源１２で発振されたレーザービームＬＢは光学系１３を通じてスクリーンＳＣに向かって強く照射される。スクリーンＳＣ上に強い光で照射されたレーザービームＬＢは、プレゼンテーション会場にいる観衆ＡＵに対しプレゼンテーターが指示状態であることを示す。以上は、第１の実施の形態と同一の作用である。
【００２４】
また、スクリーンＳＣ上の輝点が指示状態にないと判断した場合は、ディジタル信号処理回路はレーザー光源１２に信号を通知し、スイッチング手段１５Ａによりレーザー光源１２の調整を行う。レーザー光源１２はスイッチング手段１５Ａからの信号に応じてレーザー出力を下げる。レーザー光源１２で発振されたレーザービームＬＢは、光学系１３を通じてスクリーンＳＣに向かって弱く照射される。スクリーンＳＣ上に弱い光で照射されたレーザービームＬＢは、プレゼンテーション会場にいる観衆ＡＵに対しプレゼンテーターが指示状態でないことを示す。
このように、上記レーザービームポインターＬＰ２はフィルターやシャッターなどの専用の減光手段を必要としない簡易な構成で、スクリーンＳＣ上に投影されたレーザービームＬＢによる指示状態を明確にすることができる。
【００２５】
（１−３）実施の形態３
図５に本実施の形態のレーザービームポインターＬＰ３の構成図を示す。レーザービームポインターＬＰ３は、レーザービームＬＢの投影を弱める減光手段２２を備え、減光手段２２は絞りを用いている。以下、レーザービームポインターＬＰ３の作用について説明する。移動検出手段１４はスクリーンＳＣ上の輝点の移動情報を検出し、制御手段１５に信号を通知する。制御手段１５は移動検出手段１４が検出したスクリーンＳＣ上の輝点の移動情報を、予め設定されているスクリーンＳＣ上の輝点の移動情報と照合し、スクリーンＳＣ上の輝点が指示状態にあるのか否かを判断する。
【００２６】
ここで、スクリーンＳＣ上の輝点が指示状態にあると判断した場合は、制御手段１５は処理を終了する。レーザー光源１２で発振されたレーザービームＬＢは、光学系１３を通じてスクリーンＳＣに向かって強く照射される。スクリーンＳＣ上に強い光で照射されたレーザービームＬＢは、プレゼンテーション会場にいる観衆ＡＵに対しプレゼンテーターが指示状態であることを示す。
【００２７】
また、スクリーンＳＣ上の輝点が指示状態にないと判断した場合は、制御手段１５は減光手段２２に信号を通知する。減光手段２２は制御手段１５からの信号に応じて絞りを絞り込む。レーザー光源１２で発振されたレーザービームＬＢは、絞りを備えた光学系１３を通じてスクリーンＳＣに向かって弱く照射される。スクリーンＳＣ上に弱い光で照射されたレーザービームＬＢは、プレゼンテーション会場にいる観衆ＡＵに対しプレゼンテーターが指示状態でないことを示す。
このように、上記レーザービームポインターＬＰ３はレーザー出力を変化させることなく、スクリーンＳＣ上に投影されたレーザービームＬＢによる指示状態を明確にすることができる。
【００２８】
（１−４）実施の形態４
図６に本実施の形態のレーザービームポインターＬＰ４の構成図を示す。図６のレーザービームポインターＬＰ４は、シャッター２２Ａからなる減光手段を備えている。以下、レーザービームポインターＬＰ４の作用について説明する。移動検出手段１４はスクリーンＳＣ上の輝点の移動情報を検出し、制御手段１５に信号を通知する。制御手段１５は移動検出手段１４が検出したスクリーンＳＣ上の輝点の移動情報を、予め設定されているスクリーンＳＣ上の輝点の移動情報と照合し、スクリーンＳＣ上の輝点が指示状態にあるのか否かを判断する。
【００２９】
ここで、スクリーンＳＣ上の輝点が指示状態にあると判断した場合は、制御手段１５は処理を終了する。レーザー光源１２で発振されたレーザービームＬＢは光学系１３を通じてスクリーンＳＣに向かって強く照射される。スクリーンＳＣ上に強い光で照射されたレーザービームＬＢは、プレゼンテーション会場にいる観衆ＡＵに対しプレゼンテーターが指示状態であることを示す。
また、スクリーンＳＣ上の輝点が指示状態にないと判断した場合は、制御手段１５は減光手段に信号を通知する。減光手段は制御手段１５からの信号に応じて遮蔽板（シャッター）２３を閉じる。レーザー光源１２で発振されたレーザービームＬＢは、遮蔽板２３を備えた光学系１３を通じてスクリーンＳＣに向かって弱く照射される。スクリーンＳＣ上に弱い光で照射されたレーザービームＬＢは、プレゼンテーション会場にいる観衆ＡＵに対しプレゼンテーターが指示状態でないことを示す。
【００３０】
このように、上記レーザービームポインターＬＰ４はレーザー出力を変化させることなく、絞りなどの専用の減光手段を必要としない簡易な構成で、スクリーンＳＣ上に投影されたレーザービームＬＢによる指示状態を明確にすることができる。
【００３１】
（１−５）実施の形態５
図７に本実施の形態のレーザービームポインターＬＰ５の構成図を示す。レーザービームポインターＬＰ５は、フィルター２２Ｂからなる減光手段を備え、減光手段は液晶フィルターを用いている。以下、レーザービームポインターＬＰ５の作用について説明する。移動検出手段１４はスクリーンＳＣ上の輝点の移動情報を検出し、制御手段１５に信号を通知する。制御手段１５は移動検出手段１４が検出したスクリーンＳＣ上の輝点の移動情報を、予め設定されているスクリーンＳＣ上の輝点の移動情報と照合し、スクリーンＳＣ上の輝点が指示状態にあるのか否かを判断する。
【００３２】
ここで、スクリーンＳＣ上の輝点が指示状態にあると判断した場合は、制御手段１５は処理を終了する。レーザー光源１２で発振されたレーザービームＬＢは光学系１３を通じてスクリーンＳＣに向かって強く照射される。スクリーンＳＣ上に強い光で照射されたレーザービームＬＢは、プレゼンテーション会場にいる観衆ＡＵに対しプレゼンテーターが指示状態であることを示す。
また、スクリーンＳＣ上の輝点が指示状態にないと判断した場合は、制御手段１５は減光手段に信号を通知する。減光手段は制御手段１５からの信号に応じて液晶フィルター２２Ｂを動作させる。レーザー光源１２で発振されたレーザービームＬＢは、液晶フィルター２２Ｂを備えた光学系１３を通じてスクリーンＳＣに向かって弱く照射される。スクリーンＳＣ上に弱い光で照射されたレーザービームＬＢは、プレゼンテーション会場にいる観衆ＡＵに対しプレゼンテーターが指示状態でないことを示す。
【００３３】
このように、上記レーザービームポインターＬＰ５はレーザー出力を変化させることなく、物理的な駆動部位を必要としない応答速度が速く信頼性の高い構成で、スクリーンＳＣ上に投影されたレーザービームＬＢによる指示状態を明確にすることができる。
【００３４】
（１−６）実施の形態６
図８に本実施の形態のレーザービームポインターＬＰ６の構成図を示す。レーザービームポインターＬＰ６は、レーザービームＬＢの照射方位を検出する方位センサー１４Ａからなる移動検出手段を備え、移動検出手段は地磁気センサーを用いている。以下、レーザービームポインターＬＰ６の作用について説明する。方位センサー１４ＡはスクリーンＳＣ上の輝点の移動情報をレーザービームポインターＬＰが指し示す方位の変化により検出し、制御手段に信号を通知する。制御手段１５は移動検出手段が検出したスクリーンＳＣ上の輝点の移動情報を、予め設定されているスクリーンＳＣ上の輝点の移動情報と照合し、スクリーンＳＣ上の輝点が指示状態にあるのか否かを判断する。
【００３５】
ここで、スクリーンＳＣ上の輝点が指示状態にあると判断した場合は、制御手段１５は処理を終了する。レーザー光源１２で発振されたレーザービームＬＢは光学系１３を通じてスクリーンＳＣに向かって強く照射される。スクリーンＳＣ上に強い光で照射されたレーザービームＬＢは、プレゼンテーション会場にいる観衆ＡＵに対しプレゼンテーターが指示状態であることを示す。
また、スクリーンＳＣ上の輝点が指示状態にないと判断した場合は、制御手段１５はレーザー光源１２に信号を通知する。レーザー光源１２は制御手段１５からの信号に応じてレーザー出力を下げる。レーザー光源１２で発振されたレーザービームＬＢは、光学系１３を通じてスクリーンＳＣに向かって弱く照射される。スクリーンＳＣ上に弱い光で照射されたレーザービームＬＢは、プレゼンテーション会場にいる観衆ＡＵに対しプレゼンテーターが指示状態でないことを示す。
【００３６】
このように、上記レーザービームポインターＬＰ６は輝点の移動を測定する上での絶対的な基準を利用しつつ、専用の移動検出手段を必要としない簡易な構成で、スクリーンＳＣ上に投影されたレーザービームＬＢによる指示状態を明確にすることができる。
【００３７】
（１−７）実施の形態７
図９に本実施の形態のレーザービームポインターＬＰ７の構成図を示す。レーザービームポインターＬＰ７は、レーザービームＬＢの照射角度を検出する角度センサー１４Ｂからなる移動検出手段を備え、移動検出手段は圧電ジャイロを用いている。以下、レーザービームポインターＬＰ７の作用について説明する。移動検出手段（角度センサー）２６はスクリーンＳＣ上の輝点の移動情報をレーザービームポインターＬＰが指し示す角度の変化により検出し、制御手段１５に信号を通知する。制御手段１５は移動検出手段２６が検出したスクリーンＳＣ上の輝点の移動情報を、予め設定されているスクリーンＳＣ上の輝点の移動情報と照合し、スクリーンＳＣ上の輝点が指示状態にあるのか否かを判断する。
【００３８】
ここで、スクリーンＳＣ上の輝点が指示状態にあると判断した場合は、制御手段１５は処理を終了する。レーザー光源１２で発振されたレーザービームＬＢは光学系１３を通じてスクリーンＳＣに向かって強く照射される。スクリーンＳＣ上に強い光で照射されたレーザービームＬＢは、プレゼンテーション会場にいる観衆ＡＵに対しプレゼンテーターが指示状態であることを示す。
また、スクリーンＳＣ上の輝点が指示状態にないと判断した場合は、制御手段１５はレーザー光源１２に信号を通知する。レーザー光源１２は制御手段１５からの信号に応じてレーザー出力を下げる。レーザー光源１２で発振されたレーザービームＬＢは、光学系１３を通じてスクリーンＳＣに向かって弱く照射される。スクリーンＳＣ上に弱い光で照射されたレーザービームＬＢは、プレゼンテーション会場にいる観衆ＡＵに対しプレゼンテーターが指示状態でないことを示す。
【００３９】
このように、上記レーザービームポインターＬＰ７は輝点の移動を測定する上であらゆる方向に対する変化に対応しつつ、専用の移動検出手段を必要としない簡易な構成で、スクリーンＳＣ上に投影されたレーザービームＬＢによる指示状態を明確にすることができる。
【００４０】
（１−８）実施の形態８
図１０に本実施の形態のレーザービームポインターＬＰ８の構成図を示す。図１０のレーザービームポインターＬＰ８は、レーザービームＬＢの照射距離を検出する距離センサー１４Ｃからなる移動検出手段を備え、移動検出手段はレーザー式変位センサーを用いている。以下、レーザービームポインターＬＰ８の作用について説明する。移動検出手段（距離センサー）２７はスクリーンＳＣ上の輝点の移動情報をレーザービームポインターＬＰ８とスクリーンＳＣ間の距離の変化により検出し、制御手段１５に信号を通知する。制御手段１５は移動検出手段２７が検出したスクリーンＳＣ上の輝点の移動情報を、予め設定されているスクリーンＳＣ上の輝点の移動情報と照合し、スクリーンＳＣ上の輝点が指示状態にあるのか否かを判断する。
【００４１】
ここで、スクリーンＳＣ上の輝点が指示状態にあると判断した場合は、制御手段１５は処理を終了する。レーザー光源１２で発振されたレーザービームＬＢは光学系１３を通じてスクリーンＳＣに向かって強く照射される。スクリーンＳＣ上に強い光で照射されたレーザービームＬＢは、プレゼンテーション会場にいる観衆ＡＵに対しプレゼンテーターが指示状態であることを示す。
また、スクリーンＳＣ上の輝点が指示状態にないと判断した場合は、制御手段１５はレーザー光源１２に信号を通知する。レーザー光源１２は制御手段１５からの信号に応じてレーザー出力を下げる。レーザー光源１２で発振されたレーザービームＬＢは、光学系１３を通じてスクリーンＳＣに向かって弱く照射される。スクリーンＳＣ上に弱い光で照射されたレーザービームＬＢは、プレゼンテーション会場にいる観衆ＡＵに対しプレゼンテーターが指示状態でないことを示す。
【００４２】
このように、上記レーザービームポインターＬＰ８はレーザービームポインターＬＰ８の筐体１１の角度変化が起こらない場合でも輝点の移動を検出し、専用の移動検出手段を必要としない簡易な構成で、スクリーンＳＣ上に投影されたレーザービームＬＢによる指示状態を明確にすることができる。
【００４３】
（１−９）実施の形態９
図１１に本実施の形態のレーザービームポインターＬＰ９の構成図を示す。レーザービームポインターＬＰ９は、レーザービームＬＢの動きを検出する加速度センサー１４Ｄからなる移動検出手段を備え、移動検出手段は振動ジャイロを用いている。以下、レーザービームポインターＬＰ９の作用について説明する。移動検出手段（加速度センサー）２８はスクリーンＳＣ上の輝点の移動情報をレーザービームポインターＬＰの動きの加速度変化により検出し、制御手段１５に信号を通知する。制御手段１５は移動検出手段が検出したスクリーンＳＣ上の輝点の移動情報を、予め設定されているスクリーンＳＣ上の輝点の移動情報と照合し、スクリーンＳＣ上の輝点が指示状態にあるのか否かを判断する。
【００４４】
ここで、スクリーンＳＣ上の輝点が指示状態にあると判断した場合は、制御手段１５は処理を終了する。レーザー光源１２で発振されたレーザービームＬＢは光学系１３を通じてスクリーンＳＣに向かって強く照射される。スクリーンＳＣ上に強い光で照射されたレーザービームＬＢは、プレゼンテーション会場にいる観衆ＡＵに対しプレゼンテーターが指示状態であることを示す。
また、スクリーンＳＣ上の輝点が指示状態にないと判断した場合は、制御手段１５はレーザー光源１２に信号を通知する。レーザー光源１２は制御手段１５からの信号に応じてレーザー出力を下げる。レーザー光源１２で発振されたレーザービームＬＢは、光学系１３を通じてスクリーンＳＣに向かって弱く照射される。スクリーンＳＣ上に弱い光で照射されたレーザービームＬＢは、プレゼンテーション会場にいる観衆ＡＵに対しプレゼンテーターが指示状態でないことを示す。
【００４５】
このように、上記レーザービームポインターＬＰ９は手ぶれを精度良く検出し、専用の移動検出手段を必要としない簡易な構成で、スクリーンＳＣ上に投影されたレーザービームＬＢによる指示状態を明確にすることができる。
【００４６】
（１−１０）実施の形態１０
図１２に本実施の形態のレーザービームポインターＬＰ１０の構成図を示す。レーザービームポインターＬＰ１０は、レーザービームＬＢの照射方位を検出する方位センサー１４ＡとレーザービームＬＢの照射距離を検出する距離センサー１４Ｃとからなる移動検出手段を備え、移動検出手段は地磁気センサーとレーザー式変位センサーの組み合わせを用いている。以下、レーザービームポインターＬＰ１０の作用について説明する。移動検出手段（方位センサー１４Ａ、距離センサー１４Ｃ）はスクリーンＳＣ上の輝点の移動情報をレーザービームポインターＬＰが指し示す方位の変化とレーザービームポインターＬＰとスクリーンＳＣ間の距離により検出し、制御手段１５に信号を通知する。
【００４７】
この際、輝点の二点とレーザービームポインターＬＰ１０のレーザービーム射出部の三点より形成される三角形を仮定すると、二辺の長さとその間の角度が決定される。このため、二辺きょう角より三角形の決定条件を満たし、その他一辺の長さ、すなわち輝点の移動量が求められる。制御手段１５は移動検出手段が検出したスクリーンＳＣ上の輝点の移動情報を、予め設定されているスクリーンＳＣ上の輝点の移動情報と照合し、スクリーンＳＣ上の輝点が指示状態にあるのか否かを判断する。
【００４８】
ここで、スクリーンＳＣ上の輝点が指示状態にあると判断した場合は、制御手段１５は処理を終了する。レーザー光源１２で発振されたレーザービームＬＢは光学系１３を通じてスクリーンＳＣに向かって強く照射される。スクリーンＳＣ上に強い光で照射されたレーザービームＬＢは、プレゼンテーション会場にいる観衆ＡＵに対しプレゼンテーターが指示状態であることを示す。
また、スクリーンＳＣ上の輝点が指示状態にないと判断した場合は、制御手段１５はレーザー光源１２に信号を通知する。レーザー光源１２は制御手段１５からの信号に応じてレーザー出力を下げる。レーザー光源１２で発振されたレーザービームＬＢは、光学系１３を通じてスクリーンＳＣに向かって弱く照射される。スクリーンＳＣ上に弱い光で照射されたレーザービームＬＢは、プレゼンテーション会場にいる観衆ＡＵに対しプレゼンテーターが指示状態でないことを示す。
【００４９】
このように、上記レーザービームポインターＬＰ１０は輝点の移動を測定する上での絶対的な基準を利用しつつ、スクリーンＳＣ上の輝点の移動情報を精度良く取得することができ、より適切にスクリーンＳＣ上に投影されたレーザービームＬＢによる指示状態を明確にすることができる。
【００５０】
（１−１１）実施の形態１１
図１３に本実施の形態のレーザービームポインターＬＰ１１の構成図を示す。図１３のレーザービームポインターＬＰ１１は、レーザービームＬＢの照射角度を検出する方位センサー１４ＥとレーザービームＬＢの照射距離を検出する距離センサー１４Ｃとからなる移動検出手段を備え、移動検出手段は圧電ジャイロとレーザー式変位センサーの組み合わせを用いている。以下、図１３のレーザービームポインターＬＰ１１の作用について説明する。移動検出手段（方位センサー１４Ｅ、距離センサー１４Ｃ）はスクリーンＳＣ上の輝点の移動情報をレーザービームポインターＬＰが指し示す角度の変化とレーザービームポインターＬＰとスクリーンＳＣ間の距離により検出し、制御手段１５に信号を通知する。
【００５１】
この際、輝点の二点とレーザービームポインターＬＰのレーザービームＬＢ射出部の三点より形成される三角形を仮定すると、二辺の長さとその間の角度が決定される。このため、二辺きょう角より三角形の決定条件を満たし、その他一辺の長さ、すなわち輝点の移動量が求められる。制御手段１５は移動検出手段が検出したスクリーンＳＣ上の輝点の移動情報を、予め設定されているスクリーンＳＣ上の輝点の移動情報と照合し、スクリーンＳＣ上の輝点が指示状態にあるのか否かを判断する。
【００５２】
ここで、スクリーンＳＣ上の輝点が指示状態にあると判断した場合は、制御手段１５は処理を終了する。レーザー光源１２で発振されたレーザービームＬＢは光学系１３を通じてスクリーンＳＣに向かって強く照射される。スクリーンＳＣ上に強い光で照射されたレーザービームＬＢは、プレゼンテーション会場にいる観衆ＡＵに対しプレゼンテーターが指示状態であることを示す。
また、スクリーンＳＣ上の輝点が指示状態にないと判断した場合は、制御手段１５はレーザー光源１２に信号を通知する。レーザー光源１２は制御手段１５からの信号に応じてレーザー出力を下げる。レーザー光源１２で発振されたレーザービームＬＢは、光学系１３を通じてスクリーンＳＣに向かって弱く照射される。スクリーンＳＣ上に弱い光で照射されたレーザービームＬＢは、プレゼンテーション会場にいる観衆ＡＵに対しプレゼンテーターが指示状態でないことを示す。
【００５３】
このように、上記レーザービームポインターＬＰ１１は輝点の移動を測定する上であらゆる方向に対する変化に対応しつつ、スクリーンＳＣ上の輝点の移動情報を精度良く取得することができ、より適切にスクリーンＳＣ上に投影されたレーザービームＬＢによる指示状態を明確にすることができる。
【００５４】
（２）  第２の実施の形態
前記図1に示したレーザービームポインターＬＰの使用状態において、スクリーンＳＣ上に表示されている色と輝点の色が似た色であった場合、輝点の位置等が判別しにくくなるという問題があった。レーザービームポインターＬＰは指示棒と異なりスクリーンＳＣ上に生成された輝点を判別する必要があるため、輝点はスクリーンＳＣの状態によらず常に判別できる色で生成されるのが好ましい。
【００５５】
これ以降に説明するレーザービームポインターは上記問題を解決するための機能を有するものである。
本実施の形態のレーザービームポインターは、レーザービームの色を加工する色加工手段を備えることにより、レーザービームポインターの射出するレーザービームの色に種々の加工を施し、輝点がスクリーンの状態によらず常に判別できるように構成されたレーザービームポインターである。
【００５６】
（２−１）実施の形態１２
図１４に本実施の形態のレーザービームポインターＬＰ２１の構成図を示す。レーザービームポインターＬＰ２１は、レーザービームＬＢの色を加工する色加工手段３１を備え、色加工手段３１はレーザー光源１２の出力制御装置を用いている。
【００５７】
以下、レーザービームポインターＬＰ２１の作用について説明する。プレゼンテーターはレーザービームポインターＬＰ２１のスイッチを入れ、スクリーンＳＣ上の任意の点をポイントする。レーザービームポインターＬＰ２１はスクリーンＳＣ上にある色の輝点を生成する。レーザービームポインターＬＰ２１の輝点の色がスクリーンＳＣに対し十分区別できる場合には、プレゼンテーターはそのままプレゼンテーションを行う。レーザービームポインターＬＰ２１の輝点の色がスクリーンＳＣに対し十分区別できない場合には、プレゼンテーターは色加工手段３１を操作する。色加工手段３１を操作されたレーザービームポインターＬＰ２１はスクリーンＳＣ上に別の色の輝点を生成する。レーザービームポインターＬＰ２１の輝点の色がスクリーンＳＣに対し十分区別できる状態にした後、プレゼンテーターはプレゼンテーションを行う。
【００５８】
ここで、出力制御装置（図示省略）はレーザー光源１２の出力を変化させることによって、マンセル表色系におけるレーザービームＬＢの明度の調整を行う。マンセル表色系とは、アメリカの画家であり美術の教師であったアルバート・H・マンセル(1858-1918)が1905年に発表した表色系である。その後、アメリカ光学会(OSA)により改良され、現在のマンセル表色系が確立された。マンセル表色系は色を３つの属性、すなわち色相（色の種類）、明度（色の白さ黒さ）およびクロマ（色の鮮やかさ）で表現する。
【００５９】
色相（Hue、ヒューと呼び記号Hを使用）は、赤、黄赤、黄、...........、紫、赤紫、赤というように円周上に配列されている。マンセル色票系では色相は、赤（R）、黄（Y）、緑（G）、青（B）、紫（P）の５色を基調とし、その中間に橙（YR）、黄緑（GY）、青緑（BG）、青紫（PB）、赤紫（RP）が置かれ、さらに、この10色相を10等分した100色相が基本となっている。実用上は2.5刻みで表示され、40色相を使用する。
明度（Value、バリューと呼び記号Vを使用）は、色空間の最上部に白を、最下部に黒を置き、マンセル明度関数によって知覚的に等しい間隔で明るい順に並べられている。有彩色の明るさもこれに準じる。マンセル色票系の明度の番号は、0は完全な黒、10は完全な白であるが、現実には得ることができないので、1を黒とし、9または、9.5を白としている。数値が大きいほど明るくなる。
【００６０】
彩度（Chroma、クロマと呼び記号Cを使用）は、色空間の中心である無彩色軸から最も鮮やかな色に至るまでの尺度を表す。数値が大きくなほど鮮やかさが増す。
マンセル記号ではH V/Cの順に書き表す。
例  有彩色： 5R 8.0/2.0 、5GY 5/8
無彩色： N5(明度5) 、N8(明度8)
このように、上記レーザービームポインターＬＰは、スクリーンＳＣ上に投影されたレーザービームＬＢの輝点を明確にすることができる。
【００６１】
以上、本発明の第２の実施の形態を好適な実施の形態１２に基づき具体的に説明したが、本発明は上記のものに限定されるものではなく、その要旨を逸脱しない範囲で種々変更可能であることはいうまでもない。これは、実施の形態１３以降においても同様である。また、本発明の第２の実施の形態の別の実施の形態に関しては、実施の形態１３以降を参照されたい。
【００６２】
（２−２）実施の形態１３
図１５に本実施の形態のレーザービームポインターＬＰ２２の構成図を示す。レーザービームポインターＬＰ２２は、異なる波長のレーザービームＬＢを発振する複数のレーザー光源１２Ａからなる前記色加工手段３１を備えている。
【００６３】
ここで、筐体は筒状のプラスチックにより形成されており、また、レーザー光源１２Ａは最大定格出力が5mW、光波長が635nmである「赤色半導体レーザー発振器」と、最大定格出力が5mW、光波長が425nmである「青色半導体レーザー発振器」を用いている。光学系１３は半導体レーザーからの発散光からピンぼけのない長いスリット光を生成するため、発光源から出射される単一波長の光をコリメートレンズに通して平行光とし、この平行光をシリンドリカルレンズにより楕円形スポット光にし、さらに、このスポット光を複数個の格子を有する回折格子に通過させて得られる複数個の楕円光の先端部分を重ねてつなぎ、全体で１本の長いスリット光とするように構成している。
また、色加工手段３１は光学系１３に対し二種類のレーザー光が互いに近傍に位置し、かつ平行に入射するように配設された二種類の異なる波長のレーザービームＬＢを発振する複数のレーザー光源１２Ａを用いている。
【００６４】
以下、レーザービームポインターＬＰ２２の作用について説明する。プレゼンテーターはレーザービームポインターＬＰ２２のスイッチを入れ、スクリーンＳＣ上の任意の点をポイントする。レーザービームポインターＬＰ２２はスクリーンＳＣ上に二種類の色からなる輝点を生成する。輝点は二種類の色からなるため、そのうち一つの輝点がスクリーンＳＣ上の色と区別できない場合でも、もう一つの色がスクリーンＳＣ上の色と区別できる。結果として、スクリーンＳＣ上の色がどのような状態であっても、輝点は常にスクリーンＳＣ上の色と区別できる。プレゼンテーターは輝点がスクリーンＳＣ上で埋もれて区別できなくなる場合を気にすることなくプレゼンテーションを行う。
【００６５】
このように、上記レーザービームポインターＬＰ２２は、色の加工を施す専用の装置を設けることなく輝点を複数の色で表現でき、スクリーンＳＣ上に投影されたレーザービームＬＢの輝点を明確にすることができる。
【００６６】
（２−３）実施の形態１４
図１６に本実施の形態のレーザービームポインターＬ２３Ｐの構成図を示す。図１６のレーザービームポインターＬＰ２３は、フィルタリング手段からなる色加工手段を備えている。また、色加工手段は850nmの赤外レーザーを425nmの青色レーザーに変換する赤外レーザー光を青色に変換する2次高調波（SHG）発生素子からなるフィルタリング手段３２を用いている。これにより、窒化ガリウム系の青色レーザーの弱点だった寿命の短さも克服し、赤色レーザー並の寿命を実現している。2次高調波発生素子からなるフィルタリング手段３２はレーザー光源１２と光学系１３の間に、レーザー光源１２の発振するレーザービームＬＢの一部が青色に変換されるよう配設される。
【００６７】
以下、レーザービームポインターＬＰ２３の作用について説明する。プレゼンテーターはレーザービームポインターＬＰ２３のスイッチを入れ、スクリーンＳＣ上の任意の点をポイントする。レーザービームポインターＬＰ２３はスクリーンＳＣ上に二種類の色からなる輝点を生成する。輝点は二種類の色からなるため、そのうち一つの輝点がスクリーンＳＣ上の色と区別できない場合でも、もう一つの色がスクリーンＳＣ上の色と区別できる。結果として、スクリーンＳＣ上の色がどのような状態であっても、輝点は常にスクリーンＳＣ上の色と区別できる。プレゼンテーターは輝点がスクリーンＳＣ上で埋もれて区別できなくなる場合を気にすることなくプレゼンテーションを行う。
【００６８】
このように、上記レーザービームポインターＬＰ２３は、複数のレーザー光源を用いることなく輝点を複数の色で表現でき、スクリーンＳＣ上に投影されたレーザービームＬＢの輝点を明確にすることができる。
【００６９】
（２−４）実施の形態１５
図１７に本実施の形態のレーザービームポインターＬＰ２４の構成図を示す。レーザービームポインターＬＰ２４は、前記色加工手段の動作タイミングを指定するタイミング制御手段３４を備えている。
【００７０】
ここで、レーザー光源１２Ｂは最大定格出力が4mWで赤色1mW、緑1.5mW、青色1.5mWのバランスで出力される「白色ヘリウム・カドミウムレーザー発振器」を用いている。
ヘリウム・カドミウムレーザーは銅蒸気レーザーと同じ金属レーザーに属するレーザーである。カドミウムは、本来青色の発振をするが、ヘリウム・カドミウムレーザーの特徴は、ヘリウムイオンの赤と緑色発光、カドミウムイオンの青色発光を同時に発振させて三色混合の白色光源を得るものである。カドミウム金属をヘリウムガスの雰囲気キャビティの中でヘリウムを媒体として放電を起こし加熱しさせることにより、金属蒸気になったカドミウムイオンが励起され波長λ=441.6nmの発振をするようになる。ヘリウムは、青と緑の4線λ=636.0nm、λ=537.8nm、λ=635.5nm、λ=533.8nmが発振される。これを1本のレーザービームＬＢとして混合させると、人間の感じる視感度に近い出力バランスの白色レーザーが得られる。
【００７１】
また、色加工手段３１は白色ヘリウム・カドミウムレーザー発振器のR.G.B.（RGB表色系でのRed.Green.Blue）3本のラインにそれぞれ配設したAOM（Accoustic Optical Module : 音響光学素子）からなる出力調整手段を、タイミング制御手段１５はディジタル信号処理回路からなる制御素子を用いている。
【００７２】
以下、レーザービームポインターＬＰ２４の作用について説明する。プレゼンテーターはレーザービームポインターＬＰ２４のスイッチを入れ、スクリーンＳＣ上の任意の点をポイントする。レーザービームポインターＬＰ２４はスクリーンＳＣ上に二種類の色を、時間をずらして交互に点滅させてなる輝点を生成する。輝点は二種類の色からなるため、そのうち一つの輝点がスクリーンＳＣ上の色と区別できない場合でも、もう一つの色がスクリーンＳＣ上の色と区別できる。結果として、スクリーンＳＣ上の色がどのような状態であっても、輝点は常にスクリーンＳＣ上の色と区別できる。プレゼンテーターは輝点がスクリーンＳＣ上で埋もれて区別できなくなる場合を気にすることなくプレゼンテーションを行う。
【００７３】
ここで、ディジタル信号処理回路からなるタイミング制御手段３４は、白色ヘリウム・カドミウムレーザー発振器のR.G.B.3本のラインにそれぞれ配設したAOMからなる出力調整手段にタイミング信号を出力する。AOMはディジタル信号処理回路からなるタイミング制御手段３４の出力するタイミング信号に応じて各波長のレーザービームＬＢの出力を変化させる。これにより、レーザービームポインターＬＰ２４は二種類の色を、時間をずらして交互に点滅させてなる輝点を生成する。
このように、上記レーザービームポインターＬＰ２４は、同時に複数の色からなるレーザービームＬＢを生成することなく輝点を複数の色で表現でき、スクリーンＳＣ上に投影されたレーザービームＬＢの輝点を明確にすることができる。
【００７４】
（２−５）実施の形態１６
図１８に本実施の形態のレーザービームポインターＬＰ２５の構成図を示す。レーザービームポインターＬＰ２５は、スクリーンＳＣ上の色を検出する色検出手段３６と、色検出手段３６の出力に応じて色加工手段３１を制御する制御手段３５と、を備えている。以下、レーザービームポインターＬＰ２５の作用について説明する。プレゼンテーターはレーザービームポインターＬＰ２５のスイッチを入れ、スクリーンＳＣ上の任意の点をポイントする。レーザービームポインターＬＰ２５はスクリーンＳＣ上にある色の輝点を生成する。色検出手段３６はレーザービームポインターＬＰ２５がスクリーンＳＣ上に生成した輝点とその周辺の色を検出し、その信号を制御手段３５に出力する。制御手段３５は色検出手段３６の出力する信号を入力し、画像処理により輝点の抽出を行う。
【００７５】
レーザービームポインターＬＰ２５の輝点の色がスクリーンＳＣに対し十分区別できる場合には、制御手段３５は色検出手段３６の信号を引き続き入力する。レーザービームポインターＬＰ２５の輝点の色がスクリーンＳＣに対し十分区別できない場合には、制御手段３５は色加工手段３１に色を変更するよう信号を出力し色検出手段３６の信号を引き続き入力する。色加工手段３１は制御手段３５の出力する信号に基づきレーザービームＬＢの色を変化させる。以上の手続きを経ることにより、レーザービームポインターＬＰ２５の輝点の色がスクリーンＳＣに対し十分区別できない状態が、レーザービームポインターＬＰ２５の輝点の色がスクリーンＳＣに対し十分区別できる状態に移行する。
【００７６】
ここで、CCD撮像素子を備えたカメラからなる色検出手段３６は、レーザービームポインターＬＰ２５がスクリーンＳＣ上に生成した輝点とその周辺の色を検出し、その信号をディジタル信号処理回路からなる制御素子に出力する。制御素子はCCD撮像素子を備えたカメラの出力する信号を入力し、画像処理により輝点の抽出を行う。レーザービームポインターＬＰ２５の輝点の色がスクリーンＳＣに対し十分区別できる場合には、制御素子はCCD撮像素子を備えたカメラの信号を引き続き入力する。レーザービームポインターＬＰ２５の輝点の色がスクリーンＳＣに対し十分区別できない場合には、制御素子はCCD撮像素子を備えたカメラに色を変更するよう信号を出力しCCD撮像素子を備えたカメラの信号を引き続き入力する。白色ヘリウム・カドミウムレーザー発振器のR.G.B.3本のラインにそれぞれ配設したAOMは制御素子の出力する信号に基づきそれぞれのレーザービームＬＢの出力を調整し色を変化させる。
【００７７】
このように、上記レーザービームポインターＬＰ２５は、スクリーンＳＣの状態に応じて自動的に輝点を適切な色で表現でき、スクリーンＳＣ上に投影されたレーザービームＬＢの輝点を明確にすることができる。
【００７８】
（２−６）実施の形態１７
図１９に本実施の形態のレーザービームポインターＬＰ２６の構成図を示す。レーザービームポインターＬＰ２６は、前述の異なる波長のレーザービームＬＢを発振する複数のレーザー光源１２Ａからなる色加工手段３１と、前記レーザー光源１２Ａを切り換える切り換え手段３７と、を備えている。色加工手段３１は光学系１３に対し二種類のレーザー光が互いに近傍に位置し、かつ平行に入射するように配設された二種類の異なる波長のレーザービームＬＢを発振する複数のレーザー光源１２Ａを、切り換え手段３７はディジタル信号処理回路からなるスイッチング素子を用いている。
【００７９】
以下、レーザービームポインターＬＰ２６の作用について説明する。プレゼンテーターはレーザービームポインターＬＰ２６のスイッチを入れ、スクリーンＳＣ上の任意の点をポイントする。レーザービームポインターＬＰ２６はスクリーンＳＣ上にある色の輝点を生成する。レーザービームポインターＬＰ２６の輝点の色がスクリーンＳＣに対し十分区別できる場合には、プレゼンテーターはそのままプレゼンテーションを行う。レーザービームポインターＬＰ２６の輝点の色がスクリーンＳＣに対し十分区別できない場合には、プレゼンテーターは色加工手段３１を操作する。色加工手段３１を操作されたレーザービームポインターＬＰ２６はスクリーンＳＣ上に別の色の輝点を生成する。レーザービームポインターＬＰ２６の輝点の色がスクリーンＳＣに対し十分区別できる状態にした後、プレゼンテーターはプレゼンテーションを行う。
【００８０】
ここで、プレゼンテーターはディジタル信号処理回路からなるスイッチング素子を操作することにより、赤色半導体レーザー発振器から青色半導体レーザー発振器へ、または青色半導体レーザー発振器から赤色半導体レーザー発振器へとレーザー光源１２Ａの電源供給を状況に応じて切り換える。
このように、上記レーザービームポインターＬＰ２６は、色の加工を施す専用の装置を設けたりレーザー光源の出力を調整することなく輝点をスクリーンＳＣの状態に応じてその都度適切な色で表現でき、スクリーンＳＣ上に投影されたレーザービームＬＢの輝点を明確にすることができる。
【００８１】
（２−７）実施の形態１８
図２０に本実施の形態のレーザービームポインターＬＰ２７の構成図を示す。レーザービームポインターＬＰ２７は、フィルタリング手段３９からなる色加工手段と、該フィルタリング手段３９を切り換える切り換え手段３８と、を備えている。色加工手段はセルロイドシートからなるフィルタリング手段３９を、切り換え手段３８はディジタル信号処理回路からなる制御素子と電磁モーターを用いている。電磁モーターは制御素子の信号に応じて動作し、レーザービームＬＢの光路に配設されたセルロイドシートを切り換える。
【００８２】
以下、レーザービームポインターＬＰ２７の作用について説明する。プレゼンテーターはレーザービームポインターＬＰ２７のスイッチを入れ、スクリーンＳＣ上の任意の点をポイントする。レーザービームポインターＬＰ２７はスクリーンＳＣ上にある色の輝点を生成する。レーザービームポインターＬＰ２７の輝点の色がスクリーンＳＣに対し十分区別できる場合には、プレゼンテーターはそのままプレゼンテーションを行う。レーザービームポインターＬＰ２７の輝点の色がスクリーンＳＣに対し十分区別できない場合には、プレゼンテーターは色加工手段（フィルタリング手段）３９を操作する。色加工手段３９を操作されたレーザービームポインターＬＰ２７はスクリーンＳＣ上に別の色の輝点を生成する。レーザービームポインターＬＰ２７の輝点の色がスクリーンＳＣに対し十分区別できる状態にした後、プレゼンテーターはプレゼンテーションを行う。
【００８３】
ここで、プレゼンテーターはディジタル信号処理回路からなる制御素子を操作することにより電磁モーターを制御し、レーザービームＬＢの光路に配設されたセルロイドシートからなるフィルタリング手段３９を状況に応じて切り換える。
このように、上記レーザービームポインターＬＰ２７は、色の調整が容易で輝点をスクリーンＳＣの状態に応じてその都度適切な色で表現でき、スクリーンＳＣ上に投影されたレーザービームＬＢの輝点を明確にすることができる。
【００８４】
（２−８）実施の形態１９
図２１に本実施の形態のレーザービームポインターＬＰ２８の構成図を示す。レーザービームポインターＬＰ２８は、液晶からなる前記色加工手段３１と、前記液晶を切り換える切り換え手段３８と、を備えている。色加工手段３１は液晶を、切り換え手段３８はディジタル信号処理回路からなる制御素子を用いている。レーザービームＬＢの光路に配設された液晶は制御素子の信号に応じて動作し、色の状態を変化させる。
【００８５】
以下、レーザービームポインターＬＰ２８の作用について説明する。プレゼンテーターはレーザービームポインターＬＰ２８のスイッチを入れ、スクリーンＳＣ上の任意の点をポイントする。レーザービームポインターＬＰ２８はスクリーンＳＣ上にある色の輝点を生成する。レーザービームポインターＬＰ２８の輝点の色がスクリーンＳＣに対し十分区別できる場合には、プレゼンテーターはそのままプレゼンテーションを行う。レーザービームポインターＬＰ２８の輝点の色がスクリーンＳＣに対し十分区別できない場合には、プレゼンテーターは色加工手段３１を操作する。色加工手段３１を操作されたレーザービームポインターＬＰ２８はスクリーンＳＣ上に別の色の輝点を生成する。レーザービームポインターＬＰ２８の輝点の色がスクリーンＳＣに対し十分区別できる状態にした後、プレゼンテーターはプレゼンテーションを行う。
【００８６】
ここで、プレゼンテーターはディジタル信号処理回路からなる制御素子を操作することにより液晶を制御し、レーザービームＬＢの光路に配設された液晶の色の状態を状況に応じて切り換える。
このように、上記レーザービームポインターＬＰ２７は、色の調整が容易で応答速度が速く輝点をスクリーンＳＣの状態に応じてその都度適切な色で表現でき、スクリーンＳＣ上に投影されたレーザービームＬＢの輝点を明確にすることができる。
【００８７】
（２−９）実施の形態２０
図２２に本実施の形態のレーザービームポインターＬＰ２９の構成図を示す。レーザービームポインターＬＰ２９は、レーザー光源１２Ｂの出力バランスを調整する出力調整手段４０からなる前記色加工手段３１と、を備えている。以下、レーザービームポインターＬＰ２９の作用について説明する。プレゼンテーターはレーザービームポインターＬＰ２９のスイッチを入れ、スクリーンＳＣ上の任意の点をポイントする。レーザービームポインターＬＰ２９はスクリーンＳＣ上にある色の輝点を生成する。レーザービームポインターＬＰ２９の輝点の色がスクリーンＳＣに対し十分区別できる場合には、プレゼンテーターはそのままプレゼンテーションを行う。レーザービームポインターＬＰ２９の輝点の色がスクリーンＳＣに対し十分区別できない場合には、プレゼンテーターは色加工手段（出力調整手段）４０を操作する。色加工手段４０を操作されたレーザービームポインターＬＰ２９はスクリーンＳＣ上に別の色の輝点を生成する。レーザービームポインターＬＰ２９の輝点の色がスクリーンＳＣに対し十分区別できる状態にした後、プレゼンテーターはプレゼンテーションを行う。
【００８８】
ここで、プレゼンテーターは前記AOM（Accoustic Optical Module : 音響光学素子）からなる出力調整手段４０を操作することにより、状況に応じて各々の波長の出力バランスを調整し色を変化させる。
このように、上記レーザービームポインターＬＰ２９は、色の加工を施す専用の装置や複数のレーザー光源を設けることなく輝点をスクリーンＳＣの状態に応じてその都度適切な色で表現でき、スクリーンＳＣ上に投影されたレーザービームＬＢの輝点を明確にすることができる。
【００８９】
（２−１０）実施の形態２１
図２３に本実施の形態のレーザービームポインターＬＰ３０の構成図を示す。レーザービームポインターＬＰ３０は、レンズからなる前記色加工手段３１と、前記レンズを駆動する駆動手段４１と、を備えている。色加工手段３１はプリズムレンズを、駆動手段４１はディジタル信号処理回路からなる制御素子とピエゾ圧電素子を用いている。ピエゾ圧電素子は制御素子の信号に応じて動作し、レーザービームＬＢの光路に配設されたプリズムレンズの光路に対して射出するレーザービームＬＢの波長を変化させる。
【００９０】
プリズムレンズは平行に配設された二枚の板状透明部材と、板状透明部材を筒状に接続する軟性部材と、板状透明部材と軟性部材とが形成する筒状空間内に密閉され板状透明部材と屈折率の等しい液体と、軟性部材中に光軸に沿って配設された駆動手段４１とにより構成される。
駆動手段４１は制御手段からの制御信号に応じてプリズムレンズを変形させる。プリズムレンズは制御手段からの制御信号が無い場合には、二枚の板状透明部材が平行のままでレーザービームＬＢをそのまま通し、制御手段からの制御信号が有る場合には、駆動手段４１の働きにより変形することから二枚の板状透明部材が平行でなくなり屈折率が変化する。
【００９１】
以下、レーザービームポインターＬＰ３０の作用について説明する。プレゼンテーターはレーザービームポインターＬＰ３０のスイッチを入れ、スクリーンＳＣ上の任意の点をポイントする。レーザービームポインターＬＰ３０はスクリーンＳＣ上にある色の輝点を生成する。レーザービームポインターＬＰ３０の輝点の色がスクリーンＳＣに対し十分区別できる場合には、プレゼンテーターはそのままプレゼンテーションを行う。レーザービームポインターＬＰ３０の輝点の色がスクリーンＳＣに対し十分区別できない場合には、プレゼンテーターは色加工手段３１を操作する。色加工手段３１を操作されたレーザービームポインターＬＰ３０はスクリーンＳＣ上に別の色の輝点を生成する。レーザービームポインターＬＰ３０の輝点の色がスクリーンＳＣに対し十分区別できる状態にした後、プレゼンテーターはプレゼンテーションを行う。
【００９２】
ここで、プレゼンテーターはディジタル信号処理回路からなる制御素子を操作することによりピエゾ圧電素子を介してプリズムレンズを制御し、レーザービームＬＢの光路に配設されたプリズムレンズの光路に対して射出するレーザービームＬＢの波長を変化させる。
このように、上記レーザービームポインターＬＰ３０は、複数のレーザー光源を設けたりレーザー光源の出力を調整することなく輝点をスクリーンＳＣの状態に応じてその都度適切な色で表現でき、スクリーンＳＣ上に投影されたレーザービームＬＢの輝点を明確にすることができる。
【００９３】
（３）  第３の実施の形態
前記図1に示したレーザービームポインターＬＰの使用状態において、スクリーンＳＣ上の輝度に比べ輝点の輝度が弱い場合、スクリーンＳＣ上に表示されている色と輝点の色が似た色であった場合、スクリーンＳＣ上を輝点が移動している場合等に輝点の位置等が判別しにくくなるという問題があった。レーザービームポインターＬＰは指示棒と異なりスクリーンＳＣ上に生成された輝点を判別する必要があるため、輝点は輝点環境によらず常に判別できる輝度で生成されるのが好ましい。
これ以降に説明するレーザービームポインターは上記問題を解決するための機能を有するものである。
【００９４】
本実施の形態のレーザービームポインターは、レーザービームポインターにより輝点が生成される面上の画像情報、若しくは、レーザービームポインターにより輝点が生成される面上の輝点の位置情報よりなる輝点環境を検出する輝点環境検出手段と、該輝点環境検出手段の出力に応じて前記輝点の輝度を調整する輝度調整手段を備えることにより、レーザービームポインターの射出するレーザービームの輝度を調整し、輝点が輝点環境によらず常に判別できるように構成されたレーザービームポインターである。
【００９５】
本実施の形態のレーザービームポインターは、図２４に示すように、レーザービームＬＢがスクリーンＳＣ上に投影されてなる輝点環境を測定する輝点環境検出手段を備えることにより種々の輝点環境を取得し（ステップＳ１１）、輝点環境が所定の値を越えると（ステップＳ１２：ＮＯ）、輝度調整手段により輝点の輝度を調整し（ステップＳ１３）、輝点環境が所定の値以内に戻ると輝度調整手段により輝点の輝度を元に戻すように構成されたレーザービームポインターである。
【００９６】
（３−１）実施の形態２２
図２５に本実施の形態のレーザービームポインターＬＰ３１の構成図を示す。レーザービームポインターＬＰ３１は、レーザービームポインターＬＰ３１により輝点が生成される面上の画像情報、若しくは、レーザービームポインターＬＰ３１により輝点が生成される面上の輝点の位置情報よりなる輝点環境を検出する輝点環境検出手段５１と、該輝点環境検出手段５１の出力に応じて前記輝点の輝度を調整する輝度調整手段５２を備えている。輝点環境検出手段５１は変位センサー、例えば、ニッテツ北海道制御システム株式会社製のIRD-20等を用いている。センサーは移動体の位置測定に優れた光は距離センサーを採用しており、反射シートまたは測定物体に赤外光を射出し、拡散反射光を受光して距離を測定する。IRD-20は表面につやのある物体にたいして20mまで測定可能で、光源は発光ダイオードなので、目を保護する必要がないという特徴を有している。
【００９７】
また、輝度調整手段５２は輝点環境検出手段５１により検出される種々の輝点環境に対する適切な輝度が予め書きこまれた輝点環境設定を記憶するメモリーからなる記憶手段を備えたディジタル信号処理回路とレーザー光源１２の入力電圧をオンオフシフト若しくは他段階シフトを行い、レーザービームＬＢの出力を調整する装置を組み合わせたレーザー光源１２の出力制御装置、例えば、スイッチング装置等のレーザービームＬＢの状態を制御するレーザー光源１２の出力制御装置を用いている。
【００９８】
以下、レーザービームポインターＬＰ３１の作用について説明する。プレゼンテーターはレーザービームポインターＬＰ３１のスイッチを入れ、スクリーンＳＣ上の任意の点をポイントする。レーザービームポインターＬＰ３１はスクリーンＳＣ上にある輝度の輝点を生成する。輝点環境検出手段５１は輝点の変位を測定することにより輝点環境を検出する。輝度調整手段５２は輝点環境検出手段５１により検出された輝点環境と輝点環境設定を照合することによって、輝点環境検出手段５１により検出された輝点環境に応じて輝点がスクリーンＳＣに対し十分区別できるように輝点の輝度を調整する。具体的には、輝点環境が良く輝点がスクリーンＳＣに対し十分区別できる場合には、通常のレーザー光源１２の出力を維持し、輝点環境が悪く輝点がスクリーンＳＣに対し十分区別できない場合には、レーザー光源１２の出力を上げる。
【００９９】
このように、上記レーザービームポインターＬＰ３１は、輝点環境検出手段５１によりレーザービームポインターＬＰ３１により生成される輝点環境を検出し、輝度調整手段５２により該輝点環境検出手段５１の出力に応じて前記輝点の輝度を調整するので、スクリーンＳＣ上を輝点が移動している場合であっても、輝点は輝点環境によらず常に判別できる輝度で生成される。以上、本発明の第３の実施の形態を好適な実施の形態に基づき具体的に説明したが、本発明の第３の実施の形態は上記のものに限定されるものではなく、その要旨を逸脱しない範囲で種々変更可能であることはいうまでもない。これは、実施の形態２３以降においても同様である。また、本発明の第３の実施の形態の別の実施の形態に関しては、実施の形態２３以降を参照されたい。
【０１００】
（３−２）実施の形態２３
図２６に本実施の形態のレーザービームポインターＬＰ３２の構成図を示す。レーザービームポインターＬＰ３２は、レーザービームポインターＬＰ３２により輝点が生成される面上の画像情報、若しくは、レーザービームポインターＬＰ３２により輝点が生成される面上の輝点の位置情報よりなる輝点環境を検出する輝点環境検出手段（輝度検出手段）５１Ａと、該輝点環境検出手段５１Ａの出力に応じて前記輝点の輝度を調整する輝度調整手段５２を備えている。輝点環境検出手段５１Ａは輝度センサー、例えば、露光計を用いている。
【０１０１】
以下、レーザービームポインターＬＰ３２の作用について説明する。プレゼンテーターはレーザービームポインターＬＰ３２のスイッチを入れ、スクリーンＳＣ上の任意の点をポイントする。レーザービームポインターＬＰ３２はスクリーンＳＣ上にある輝度の輝点を生成する。輝点環境検出手段５１Ａは輝点の輝度を測定することにより輝点環境を検出する。輝度調整手段５２は輝点環境検出手段５１Ａにより検出された輝点環境と輝点環境設定を照合することによって、輝点環境検出手段５１Ａにより検出された輝点環境に応じて輝点がスクリーンＳＣに対し十分区別できるように輝点の輝度を調整する。具体的には、輝点環境が良く輝点がスクリーンＳＣに対し十分区別できる場合には、通常のレーザー光源１２の出力を維持し、輝点環境が悪く輝点がスクリーンＳＣに対し十分区別できない場合には、レーザー光源１２の出力を上げる。
【０１０２】
このように、上記レーザービームポインターＬＰ３２は、輝点の周辺の輝度を検出する輝度検出手段５１Ａからなる輝点環境検出手段によりレーザービームポインターＬＰ３２により生成される輝点環境を検出し、輝度調整手段５２により該輝点環境検出手段の出力に応じて前記輝点の輝度を調整するので、スクリーンＳＣ上の輝度に比べ輝点の輝度が弱い場合であっても、輝点は輝点環境によらず常に判別できる輝度で生成される。
【０１０３】
（３−３）実施の形態２４
図２７に本実施の形態のレーザービームポインターＬＰ３３の構成図を示す。レーザービームポインターＬＰ３３は、レーザービームポインターＬＰ３３により輝点が生成される面上の画像情報、若しくは、レーザービームポインターＬＰ３３により輝点が生成される面上の輝点の位置情報よりなる輝点環境を検出する輝点環境検出手段（色検出手段）５１Ｂと、該輝点環境検出手段５１Ｂの出力に応じて前記輝点の輝度を調整する輝度調整手段５２を備えている。輝点環境検出手段（色検出手段）５１Ｂは画像入力装置、例えば、CCD撮像素子を備えたカメラを用いている。
【０１０４】
以下、レーザービームポインターＬＰ３３の作用について説明する。プレゼンテーターはレーザービームポインターＬＰ３３のスイッチを入れ、スクリーンＳＣ上の任意の点をポイントする。レーザービームポインターＬＰ３３はスクリーンＳＣ上にある輝度の輝点を生成する。輝点環境検出手段５1Ｂは輝点の色を測定することにより輝点環境を検出する。輝度調整手段５２は輝点環境検出手段５１Ｂにより検出された輝点環境と輝点環境設定を照合することによって、輝点環境検出手段５１Ｂにより検出された輝点環境に応じて輝点がスクリーンＳＣに対し十分区別できるように輝点の輝度を調整する。具体的には、輝点環境が良く輝点がスクリーンＳＣに対し十分区別できる場合には、通常のレーザー光源１２の出力を維持し、輝点環境が悪く輝点がスクリーンＳＣに対し十分区別できない場合には、レーザー光源１２の出力を上げる。
【０１０５】
このように、上記レーザービームポインターＬＰ３３は、輝点の周辺の色を検出する色検出手段からなる輝点環境検出手段５１ＢによりレーザービームポインターＬＰ３３により生成される輝点環境を検出し、輝度調整手段５２により該輝点環境検出手段５１Ｂの出力に応じて前記輝点の輝度を調整するので、スクリーンＳＣ上に表示されている色と輝点の色が似た色であった場合であっても、輝点は輝点環境によらず常に判別できる輝度で生成される。
【０１０６】
（３−４）実施の形態２５
図２８に本実施の形態のレーザービームポインターＬＰ３４の構成図を示す。レーザービームポインターＬＰ３４は、レーザービームポインターＬＰ３４により輝点が生成される面上の画像情報、若しくは、レーザービームポインターＬＰ３４により輝点が生成される面上の輝点の位置情報よりなる輝点環境を検出する輝点環境検出手段（距離検出手段）５１Ｃと、該輝点環境検出手段５１Ｃの出力に応じて前記輝点の輝度を調整する輝度調整手段５２を備えている。輝点環境検出手段５１Ｃは距離センサー、例えば、レーザー式変位センサーを用いている。
【０１０７】
以下、レーザービームポインターＬＰ３４の作用について説明する。プレゼンテーターはレーザービームポインターＬＰ３４のスイッチを入れ、スクリーンＳＣ上の任意の点をポイントする。レーザービームポインターＬＰ３４はスクリーンＳＣ上にある輝度の輝点を生成する。輝点環境検出手段５１Ｃは輝点の距離を測定することにより輝点環境を検出する。ここで、輝点環境検出手段５１ＣはスクリーンＳＣ上の輝点の輝度情報をレーザービームポインターＬＰ３４とスクリーンＳＣ間の距離により検出する。輝度調整手段５２は輝点環境検出手段５１Ｃにより検出された輝点環境と輝点環境設定を照合することによって、輝点環境検出手段５１Ｃにより検出された輝点環境に応じて輝点がスクリーンＳＣに対し十分区別できるように輝点の輝度を調整する。具体的には、輝点環境が良く輝点がスクリーンＳＣに対し十分区別できる場合には、通常のレーザー光源１２の出力を維持し、輝点環境が悪く輝点がスクリーンＳＣに対し十分区別できない場合には、レーザー光源１２の出力を上げる。
【０１０８】
このように、上記レーザービームポインターＬＰ３４は、レーザービームＬＢの照射距離を検出する距離検出手段からなる輝点環境検出手段５１ＣによりレーザービームポインターＬＰ３４により生成される輝点環境を検出し、輝度調整手段５２により該輝点環境検出手段５１Ｃの出力に応じて前記輝点の輝度を調整するので、レーザービームポインターＬＰ３４とスクリーンＳＣが所定距離離れており、その結果スクリーンＳＣ上の輝度に比べ輝点の輝度が弱い場合であっても、輝点は輝点環境によらず常に判別できる輝度で生成される。
【０１０９】
（３−５）実施の形態２６
図２９に本実施の形態のレーザービームポインターＬＰ３５の構成図を示す。レーザービームポインターＬＰ３５は、レーザービームポインターＬＰ３５により輝点が生成される面上の画像情報、若しくは、レーザービームポインターＬＰ３５により輝点が生成される面上の輝点の位置情報よりなる輝点環境を検出する輝点環境検出手段（方位検出手段）５１Ｄと、該輝点環境検出手段５１Ｄの出力に応じて前記輝点の輝度を調整する輝度調整手段５２を備えている。輝点環境検出手段５１Ｄは方位センサー、例えば、地磁気センサーを用いている。
【０１１０】
以下、レーザービームポインターＬＰ３５の作用について説明する。プレゼンテーターはレーザービームポインターＬＰ３５のスイッチを入れ、スクリーンＳＣ上の任意の点をポイントする。レーザービームポインターＬＰ３５はスクリーンＳＣ上にある輝度の輝点を生成する。輝点環境検出手段（方位検出手段）５１Ｄは輝点の照射方位を測定することにより輝点環境を検出する。ここで、輝点環境検出手段５１ＤはスクリーンＳＣ上の輝点の照射範囲による輝度情報をレーザービームポインターＬＰ３５が指し示す方位により検出する。輝度調整手段５２は輝点環境検出手段５１Ｄにより検出された輝点環境と輝点環境設定を照合することによって、輝点環境検出手段５１Ｄにより検出された輝点環境に応じて輝点がスクリーンＳＣに対し十分区別できるように輝点の輝度を調整する。具体的には、輝点環境が良く輝点がスクリーンＳＣに対し十分区別できる場合には、通常のレーザー光源１２の出力を維持し、輝点環境が悪く輝点がスクリーンＳＣに対し十分区別できない場合には、レーザー光源１２の出力を上げる。
【０１１１】
このように、上記レーザービームポインターＬＰ３５は、レーザービームＬＢの照射方位を検出する方位検出手段からなる輝点環境検出手段５１ＤによりレーザービームポインターＬＰ３５により生成される輝点環境を検出し、輝度調整手段５２により該輝点環境検出手段５１Ｄの出力に応じて前記輝点の輝度を調整するので、輝点がスクリーンＳＣ上に斜め方向から照射されるなどして輝点の照射範囲が広がってしまい、その結果スクリーンＳＣ上の輝度に比べ輝点の輝度が弱い場合であっても、絶対的な方角の基準を利用して輝点環境を検出でき、輝点は輝点環境によらず常に判別できる輝度で生成される。
【０１１２】
（３−６）実施の形態２７
図３０に本実施の形態のレーザービームポインターＬＰ３６の構成図を示す。レーザービームポインターＬＰ３６は、レーザービームポインターＬＰ３６により輝点が生成される面上の画像情報、若しくは、レーザービームポインターＬＰ３６により輝点が生成される面上の輝点の位置情報よりなる輝点環境を検出する輝点環境検出手段（角度検出手段）５１Ｅと、該輝点環境検出手段５１Ｅの出力に応じて前記輝点の輝度を調整する輝度調整手段５２を備えている。輝点環境検出手段５１Ｅは角度センサー、例えば、圧電ジャイロを用いている。
【０１１３】
以下、レーザービームポインターＬＰ３６の作用について説明する。プレゼンテーターはレーザービームポインターＬＰ３６のスイッチを入れ、スクリーンＳＣ上の任意の点をポイントする。レーザービームポインターＬＰ３６はスクリーンＳＣ上にある輝度の輝点を生成する。輝点環境検出手段５１Ｅは輝点の照射角度を測定することにより輝点環境を検出する。ここで、輝点環境検出手段５１ＥはスクリーンＳＣ上の輝点の照射範囲による輝度情報をレーザービームポインターＬＰ３６が指し示す角度により検出する。輝度調整手段５１は輝点環境検出手段５１Ｅにより検出された輝点環境と輝点環境設定を照合することによって、輝点環境検出手段５１Ｅにより検出された輝点環境に応じて輝点がスクリーンＳＣに対し十分区別できるように輝点の輝度を調整する。具体的には、輝点環境が良く輝点がスクリーンＳＣに対し十分区別できる場合には、通常のレーザー光源１２の出力を維持し、輝点環境が悪く輝点がスクリーンＳＣに対し十分区別できない場合には、レーザー光源１２の出力を上げる。
【０１１４】
このように、上記レーザービームポインターＬＰ３６は、レーザービームＬＢの照射角度を検出する角度検出手段からなる輝点環境検出手段５１ＥによりレーザービームポインターＬＰ３６により生成される輝点環境を検出し、輝度調整手段５２により該輝点環境検出手段５１Ｅの出力に応じて前記輝点の輝度を調整するので、輝点がスクリーンＳＣ上に斜め方向から照射されるなどして輝点の照射範囲が広がってしまい、その結果スクリーンＳＣ上の輝度に比べ輝点の輝度が弱い場合であっても、あらゆる方向に対して輝点環境を検出でき、輝点は輝点環境によらず常に判別できる輝度で生成される。
【０１１５】
（３−７）実施の形態２８
図３１に本実施の形態のレーザービームポインターＬＰ３７の構成図を示す。レーザービームポインターＬＰ３７は、レーザービームポインターＬＰ３７により輝点が生成される面上の画像情報、若しくは、レーザービームポインターＬＰ３７により輝点が生成される面上の輝点の位置情報よりなる輝点環境を検出する輝点環境検出手段（加速度検出手段）５１Ｆと、該輝点環境検出手段５１Fの出力に応じて前記輝点の輝度を調整する輝度調整手段５２を備えている。輝点環境検出手段５１Ｆは加速度センサー、例えば、振動ジャイロを用いている。
【０１１６】
以下、レーザービームポインターＬＰ３７の作用について説明する。プレゼンテーターはレーザービームポインターＬＰ３７のスイッチを入れ、スクリーンＳＣ上の任意の点をポイントする。レーザービームポインターＬＰ３７はスクリーンＳＣ上にある輝度の輝点を生成する。輝点環境検出手段５１Ｆは輝点の変位を測定することにより輝点環境を検出する。ここで、輝点環境検出手段５１ＦはスクリーンＳＣ上の輝点の移動情報をレーザービームポインターＬＰ３７の動きの加速度変化により検出する。輝度調整手段５２は輝点環境検出手段５１Ｆにより検出された輝点環境と輝点環境設定を照合することによって、輝点環境検出手段５１Ｆにより検出された輝点環境に応じて輝点がスクリーンＳＣに対し十分区別できるように輝点の輝度を調整する。具体的には、輝点環境が良く輝点がスクリーンＳＣに対し十分区別できる場合には、通常のレーザー光源１２の出力を維持し、輝点環境が悪く輝点がスクリーンＳＣに対し十分区別できない場合には、レーザー光源１２の出力を上げる。
【０１１７】
このように、上記レーザービームポインターＬＰ３７は、レーザービームポインターＬＰ３７の動きを検出する加速度検出手段からなる輝点環境検出手段５１ＦによりレーザービームポインターＬＰ３７により生成される輝点環境を検出し、輝度調整手段５２により該輝点環境検出手段５１Ｆの出力に応じて前記輝点の輝度を調整するので、スクリーンＳＣ上を輝点が移動している場合であっても、輝点は輝点環境によらず常に判別できる輝度で生成される。
【０１１８】
（３−８）実施の形態２９
図３２に本実施の形態のレーザービームポインターＬＰ３８の構成図を示す。レーザービームポインターＬＰ３８は、レーザービームポインターＬＰ３８により輝点が生成される面上の画像情報、若しくは、レーザービームポインターＬＰにより輝点が生成される面上の輝点の位置情報よりなる輝点環境を検出する輝点環境検出手段（方位検出手段５１Ｇ，距離検出手段５１Ｈ）と、該輝点環境検出手段の出力に応じて前記輝点の輝度を調整する輝度調整手段を備えている。輝点環境検出手段は方位センサーと距離センサー、例えば、地磁気センサーとレーザー式変位センサーの組み合わせを用いている。
【０１１９】
以下、レーザービームポインターＬＰ３８の作用について説明する。プレゼンテーターはレーザービームポインターＬＰ３８のスイッチを入れ、スクリーンＳＣ上の任意の点をポイントする。レーザービームポインターＬＰ３８はスクリーンＳＣ上にある輝度の輝点を生成する。輝点環境検出手段５１Ｇは輝点の変位を測定することにより輝点環境を検出する。ここで、輝点環境検出手段５１ＧはスクリーンＳＣ上の輝点の移動情報をレーザービームポインターＬＰ３８が指し示す方位の変化とレーザービームポインターＬＰ３８とスクリーンＳＣ間の距離により検出する。
【０１２０】
この際、輝点の二点とレーザービームポインターＬＰ３８のレーザービームＬＢ射出部の三点より形成される三角形を仮定すると、二辺の長さとその間の角度が決定される。このため、二辺きょう角より三角形の決定条件を満たし、その他一辺の長さ、すなわち輝点の移動量が求められる。輝度調整手段５２は輝点環境検出手段５１Ｇにより検出された輝点環境と輝点環境設定を照合することによって、輝点環境検出手段５１Ｇにより検出された輝点環境に応じて輝点がスクリーンＳＣに対し十分区別できるように輝点の輝度を調整する。具体的には、輝点環境が良く輝点がスクリーンＳＣに対し十分区別できる場合には、通常のレーザー光源１２の出力を維持し、輝点環境が悪く輝点がスクリーンＳＣに対し十分区別できない場合には、レーザー光源１２の出力を上げる。
【０１２１】
このように、上記レーザービームポインターＬＰ３８は、レーザービームＬＢの照射方位を検出する方位検出手段５１Ｇと、レーザービームＬＢの照射距離を検出する距離検出手段５１Hからなる輝点環境検出手段によりレーザービームポインターＬＰ３８により生成される輝点環境を検出し、輝度調整手段５２により該輝点環境検出手段の出力に応じて前記輝点の輝度を調整するので、スクリーンＳＣ上を輝点が移動している場合であっても、輝点の移動を測定する上での絶対的な方角の基準を利用して輝点環境を検出でき専用の移動検出手段を必要としない簡易な構成でスクリーンＳＣ上の輝点の移動情報を精度良く取得することができ、輝点は輝点環境によらず常に判別できる輝度で生成される。
【０１２２】
（３−９）実施の形態３０
図３３に本実施の形態のレーザービームポインターＬＰ３９の構成図を示す。レーザービームポインターＬＰ３９は、レーザービームポインターＬＰ３９により輝点が生成される面上の画像情報、若しくは、レーザービームポインターＬＰにより輝点が生成される面上の輝点の位置情報よりなる輝点環境を検出する輝点環境検出手段（角度検出手段５１Ｉ，距離検出手段５１Ｊ）と、該輝点環境検出手段の出力に応じて前記輝点の輝度を調整する輝度調整手段５２を備えている。輝点環境検出手段は角度センサーと距離センサー、例えば、圧電ジャイロとレーザー式変位センサーの組み合わせを用いている。
【０１２３】
以下、レーザービームポインターＬＰ３９の作用について説明する。プレゼンテーターはレーザービームポインターＬＰ３９のスイッチを入れ、スクリーンＳＣ上の任意の点をポイントする。レーザービームポインターＬＰ３９はスクリーンＳＣ上にある輝度の輝点を生成する。輝点環境検出手段は輝点の変位を測定することにより輝点環境を検出する。ここで、輝点環境検出手段はスクリーンＳＣ上の輝点の移動情報をレーザービームポインターＬＰ３９が指し示す角度の変化とレーザービームポインターＬＰ３９とスクリーンＳＣ間の距離により検出する。この際、輝点の二点とレーザービームポインターＬＰ３９のレーザービームＬＢ射出部の三点より形成される三角形を仮定すると、二辺の長さとその間の角度が決定される。このため、二辺きょう角より三角形の決定条件を満たし、その他一辺の長さ、すなわち輝点の移動量が求められる。輝度調整手段５２は輝点環境検出手段により検出された輝点環境と輝点環境設定を照合することによって、輝点環境検出手段により検出された輝点環境に応じて輝点がスクリーンＳＣに対し十分区別できるように輝点の輝度を調整する。具体的には、輝点環境が良く輝点がスクリーンＳＣに対し十分区別できる場合には、通常のレーザー光源１２の出力を維持し、輝点環境が悪く輝点がスクリーンＳＣに対し十分区別できない場合には、レーザー光源１２の出力を上げる。
【０１２４】
このように、上記レーザービームポインターＬＰ３９は、レーザービームＬＢの照射角度を検出する角度検出手段５１Ｉと、レーザービームＬＢの照射距離を検出する距離検出手段５１Ｊからなる輝点環境検出手段により、レーザービームポインターＬＰ３９により生成される輝点環境を検出し、輝度調整手段５２により輝点環境検出手段の出力に応じて前記輝点の輝度を調整するので、スクリーンＳＣ上を輝点が移動している場合であっても、輝点の移動を測定する上であらゆる方向に対して輝点環境を検出でき専用の移動検出手段を必要としない簡易な構成でスクリーンＳＣ上の輝点の移動情報を精度良く取得することができ、輝点は輝点環境によらず常に判別できる輝度で生成される。
【０１２５】
【発明の効果】
以上説明したように本発明によれば、以下の効果を発揮することができる。
請求項１に係る発明の作用効果
請求項１のレーザービームポインターにおいては、当該レーザービームポインターの単位時間当たりの変位を測定して、前記被投影面上に投影されたレーザービームの輝点の移動情報を検出する移動検出手段と、検出された輝点の移動情報と予め設定されている前記被投影面上の輝点の移動情報とを照合して該被投影面上の輝点が指示状態にあるか否かを判断し、前記被投影面上の輝点が指示状態にないと判断した場合に、前記レーザー光源の出力を下げる制御または前記レーザービームの投影を弱める制御を行う制御手段と、を備え、移動検出手段は、前記当該レーザービームポインターの単位時間当たりの変位を測定するための、当該レーザービームポインターの指し示す角度の変化を測定する角度センサーと当該レーザービームポインターと前記被投影面間の距離を測定する距離センサーとからなるので、輝点の移動を測定する上であらゆる方向に対する変化に対応しつつ、スクリーン上の輝点の移動情報を精度良く取得することができ、より適切にスクリーン上に投影されたレーザービームによる指示状態を明確にすることができる。
請求項２に係る発明の作用効果
請求項２のレーザービームポインターにおいては、当該レーザービームポインターの単位時間当たりの変位を測定して、前記被投影面上に投影されたレーザービームの輝点の移動情報を検出する移動検出手段と、検出された輝点の移動情報と予め設定されている前記被投影面上の輝点の移動情報とを照合して該被投影面上の輝点が指示状態にあるか否かを判断し、前記被投影面上の輝点が指示状態にないと判断した場合に、前記レーザー光源の出力を下げる制御または前記レーザービームの投影を弱める制御を行う制御手段と、を備え、移動検出手段は、前記当該レーザービームポインターの単位時間当たりの変位を測定するための、当該レーザービームポインターの指し示す方位の変化を測定する方位センサーと当該レーザービームポインターと前記被投影面間の距離を測定する距離センサーとからなるので、輝点の移動を測定する上での絶対的な基準を利用しつつ、スクリーン上の輝点の移動情報を精度良く取得することができ、より適切にスクリーン上に投影されたレーザービームによる指示状態を明確にすることができる。
【０１２６】
請求項３に係る発明の作用効果
請求項３のレーザービームポインターにおいては、制御手段は、前記レーザー光源の出力の調整を行うスイッチング手段を有するので、フィルターやシャッターなどの専用の減光手段を必要としない簡易な構成で、スクリーン上に投影されたレーザービームによる指示状態を明確にすることができる。
請求項４に係る発明の作用効果
請求項４のレーザービームポインターにおいては、制御手段は、前記レーザービームの投影を弱める減光手段を有するので、レーザー出力を変化させることなく、スクリーン上に投影されたレーザービームによる指示状態を明確にすることができる。
【０１２７】
請求項５に係る発明の作用効果
請求項５のレーザービームポインターにおいては、輝点の移動を検出する移動検出手段と、輝点の投影を制御する制御手段と、シャッターからなる減光手段と、を備え、移動検出手段により検出された輝点の移動情報に基づいて制御手段により減光手段を通じて輝点の投影を制御するので、レーザー出力を変化させることなく、絞りなどの専用の減光手段を必要としない簡易な構成で、スクリーン上に投影されたレーザービームによる指示状態
を明確にすることができる。
請求項６に係る発明の作用効果
請求項６のレーザービームポインターにおいては、輝点の移動を検出する移動検出手段と、輝点の投影を制御する制御手段と、フィルターからなる減光手段と、を備え、移動検出手段により検出された輝点の移動情報に基づいて制御手段により減光手段を通じて輝点の投影を制御するので、レーザー出力を変化させることなく、物理的な駆動部位を必要としない応答速度が速く信頼性の高い構成で、スクリーン上に投影されたレーザービームに
よる指示状態を明確にすることができる。
【０１３１】
請求項７に係る発明の作用効果
請求項７のレーザービームポインターにおいては、レーザービームの色を加工する色加工手段と、を備え、レーザービームの色を加工するので、スクリーン上に投影されたレーザービームの輝点を明確にすることができる。
なお、請求項７のレーザービームポインターにおいて、異なる波長のレーザービームを発振する複数のレーザー光源からなる前記色 加工手段と、を備え、レーザービームの色を加工すると、色の加工を施す専用の装置を設けることなく輝点を複数の色で表現でき、スクリーン上に投影された レーザービームの輝点を明確にすることができる。
【０１３２】
また、請求項７のレーザービームポインターにおいて、フィルタリング手段からなる前記色加工手段と、を備え、レーザービームの色を加工すると、複数のレーザー光源を用いることなく輝点を複数の色で表現でき、スクリーン上に投影されたレーザービームの輝点を明確にすることができる。またこのとき、フィルタリング手段からなる前記色加工手段と、前記フィルタリング手段を切り換える切り換え手段と、を備え、レーザービームの色を加工すると、色の調整が容易で輝点をスクリーンの状態に応じてその都度適切な色で表現でき、スクリーン上に投影されたレーザービームの輝点を明確にすることができる。
また、請求項７のレーザービームポインターにおいて、前記色加工手段の動作タイミングを指定するタイミング制御手段と、を備え、レーザービームの色を加工すると、同時に複数の色からなるレーザービームを生成することなく輝点を複数の色で表現でき、スクリーン上に投影されたレーザービームの輝点を明確にすることができる。
【０１３３】
また、請求項７のレーザービームポインターにおいて、スクリーン上の色を検出する色検出手段と、前記色検出手段の出力に応じて前記色加工手段を制御する制御手段と、を備え、レーザービームの色を加工すると、スクリーンの状態に応じて自動的に輝点を適切な色で表現でき、スクリーン上に投影されたレーザービームの輝点を明確にすることができる。
また、請求項７のレーザービームポインターにおいて、異なる波長のレーザービームを発振する複数のレーザー光源からなる前記色加工手段と、前記レーザー光源を切り換える切り換え手段と、を備え、レーザービームの色を加工すると、色の加工を施す専用の装置を設けたりレーザー光源の出力を調整することなく輝点をスクリーンの状態に応じてその都度適切な色で表現でき、スクリーン上に投影されたレーザービームの輝点を明確にすることができる。
【０１３４】
また、請求項７のレーザービームポインターにおいて、液晶からなる前記色加工手段と、前記液晶を切り換える切り換え手段と、を備え、レーザービームの色を加工すると、色の調整が容易で応答速度が速く輝点をスクリーンの状態に応じてその都度適切な色で表現でき、スクリーン上に投影されたレーザービームの輝点を明確にすることができる。
【０１３５】
また、請求項７のレーザービームポインターにおいて、前記レーザー光源の出力バランスを調整する出力調整手段からなる前記色加工手段と、を備え、レーザービームの色を加工すると、色の加工を施す専用の装置や複数のレーザー光源を設けることなく輝点をスクリーンの状態に応じてその都度適切な色で表現でき、スクリーン上に投影されたレーザービームの輝点を明確にすることができる。
また、請求項７のレーザービームポインターにおいて、レンズからなる前記色加工手段と、前記レンズを駆動する駆動手段と、を備え、レーザービームの色を加工すると、複数のレーザー光源を設けたり、レーザー光源の出力を調整することなく輝点をスクリーンの状態に応じてその都度適切な色で表現でき、スクリーン上に投影されたレーザービームの輝点を明確にすることができる。
【０１３６】
請求項８に係る発明の作用効果
請求項８のレーザービームポインターにおいては、輝点環境検出手段によりレーザービームポインターにより生成される輝点環境を検出し、輝度調整手段により該輝点環境検出手段の出力に応じて前記輝点の輝度を調整するので、スクリーン上の輝度に比べ輝点の輝度が弱い場合、スクリーン上に表示されている色と輝点の色が似た色であった場合、スクリーン上を輝点が移動している場合等であっても、輝点は輝点環境によらず常に判別できる輝度で生成される。
また、請求項８のレーザービームポインターにおいて、輝点の周辺の輝度を検出する輝度検出手段からなる輝点環境検出手段によりレーザービームポインターにより生成される輝点環境を検出し、輝度調整手段により該輝点環境検出手段の出力に応じて前記輝点の輝度を調整すると、スクリーン上の輝度に比べ輝点の輝度が弱い場合であっても、輝点は輝点環境によらず常に判別できる輝度で生成される。
【０１３７】
また、請求項８のレーザービームポインターにおいて、輝点の周辺の色を検出する色検出手段からなる輝点環境検出手段によりレーザービームポインターにより生成される輝点環境を検出し、輝度調整手段により該輝点環境検出手段の出力に応じて前記輝点の輝度を調整すると、スクリーン上に表示されている色と輝点の色が似た色であった場合であっても、輝点は輝点環境によらず常に判別できる輝度で生成される。
また、請求項８のレーザービームポインターにおいて、レーザービームの照射距離を検出する距離検出手段からなる輝点環境検出手段によりレーザービームポインターにより生成される輝点環境を検出し、輝度調整手段により該輝点環境検出手段の出力に応じて前記輝点の輝度を調整すると、レーザービームポインターとスクリーンが所定距離離れており、その結果スクリーン上の輝度に比べ輝点の輝度が弱い場合であっても、輝点は輝点環境によらず常に判別できる輝度で生成される。
【０１３８】
また、請求項８のレーザービームポインターにおいて、レーザービームの照射方位を検出する方位検出手段からなる輝点環境検出手段によりレーザービームポインターにより生成される輝点環境を検出し、輝度調整手段により該輝点環境検出手段の出力に応じて前記輝点の輝度を調整すると、輝点がスクリーン上に斜め方向から照射されるなどして輝点の照射範囲が広がってしまい、その結果スクリーン上の輝度に比べ輝点の輝度が弱い場合であっても、絶対的な方角の基準を利用して輝点環境を検出でき、輝点は輝点環境によらず常に判別できる輝度で生成される。
また、請求項８のレーザービームポインターにおいて、レーザービームの照射角度を検出する角度検出手段からなる輝点環境検出手段によりレーザービームポインターにより生成される輝点環境を検出し、輝度調整手段により該輝点環境検出手段の出力に応じて前記輝点の輝度を調整すると、輝点がスクリーン上に斜め方向から照射されるなどして輝点の照射範囲が広がってしまい、その結果スクリーン上の輝度に比べ輝点の輝度が弱い場合であっても、あらゆる方向に対して輝点環境を検出でき、輝点は輝点環境によらず常に判別できる輝度で生成される。
【０１３９】
また、請求項８のレーザービームポインターにおいて、レーザービームポインターの動きを検出する加速度検出手段からなる輝点環境検出手段によりレーザービームポインターにより生成される輝点環境を検出し、輝度調整手段により該輝点環境検出手段の出力に応じて前記輝点の輝度を調整すると、スクリーン上を輝点が移動している場合であっても、輝点は輝点環境によらず常に判別できる輝度で生成される。
また、請求項８のレーザービームポインターにおいて、レーザービームの照射方位を検出する方位検出手段と、レーザービームの照射距離を検出する距離検出手段からなる輝点環境検出手段によりレーザービームポインターにより生成される輝点環境を検出し、輝度調整手段により該輝点環境検出手段の出力に応じて前記輝点の輝度を調整すると、スクリーン上を輝点が移動している場合であっても、輝点の移動を測定する上での絶対的な方角の基準を利用して輝点環境を検出でき専用の移動検出手段を必要としない簡易な構成でスクリーン上の輝点の移動情報を精度良く取得することができ、輝点は輝点環境によらず常に判別できる輝度で生成される。
【０１４０】
また、請求項８のレーザービームポインターにおいて、レーザービームの照射角度を検出する角度検出手段と、レーザービームの照射距離を検出する距離検出手段からなる輝点環境検出手段によりレーザービームポインターにより生成される輝点環境を検出し、輝度調整手段により該輝点環境検出手段の出力に応じて前記輝点の輝度を調整すると、スクリーン上を輝点が移動している場合であっても、輝点の移動を測定する上であらゆる方向に対して輝点環境を検出でき専用の移動検出手段を必要としない簡易な構成でスクリーン上の輝点の移動情報を精度良く取得することができ、輝点は輝点環境によらず常に判別できる輝度で生成される。
【図面の簡単な説明】
【図１】本発明の各実施の形態のレーザービームポインターおける、使用状態を示す図である。
【図２】同第１の実施の形態のフローチャートである。
【図３】同実施の形態１の発明に係るレーザービームポインターの構成図である。
【図４】同実施の形態２の発明に係るレーザービームポインターの構成図である。
【図５】同実施の形態３の発明に係るレーザービームポインターの構成図である。
【図６】同実施の形態４の発明に係るレーザービームポインターの構成図である。
【図７】同実施の形態５の発明に係るレーザービームポインターの構成図である。
【図８】同実施の形態６の発明に係るレーザービームポインターの構成図である。
【図９】同実施の形態７の発明に係るレーザービームポインターの構成図である。
【図１０】同実施の形態８の発明に係るレーザービームポインターの構成図である。
【図１１】同実施の形態９の発明に係るレーザービームポインターの構成図である。
【図１２】同実施の形態１０の発明に係るレーザービームポインターの構成図である。
【図１３】同実施の形態１１の発明に係るレーザービームポインターの構成図である。
【図１４】同実施の形態１２の発明に係るレーザービームポインターの構成図である。
【図１５】同実施の形態１３の発明に係るレーザービームポインターの構成図である。
【図１６】同実施の形態１４の発明に係るレーザービームポインターの構成図である。
【図１７】同実施の形態１５の発明に係るレーザービームポインターの構成図である。
【図１８】同実施の形態１６の発明に係るレーザービームポインターの構成図である。
【図１９】同実施の形態１７の発明に係るレーザービームポインターの構成図である。
【図２０】同実施の形態１８の発明に係るレーザービームポインターの構成図である。
【図２１】同実施の形態１９の発明に係るレーザービームポインターの構成図である。
【図２２】同実施の形態２０の発明に係るレーザービームポインターの構成図である。
【図２３】同実施の形態２１の発明に係るレーザービームポインターの構成図である。
【図２４】本発明の第３の実施の形態のフローチャートである。
【図２５】同実施の形態２２の発明に係るレーザービームポインターの構成図である。
【図２６】同実施の形態２３の発明に係るレーザービームポインターの構成図である。
【図２７】同実施の形態２４の発明に係るレーザービームポインターの構成図である。
【図２８】同実施の形態２５の発明に係るレーザービームポインターの構成図である。
【図２９】同実施の形態２６の発明に係るレーザービームポインターの構成図である。
【図３０】同実施の形態２７の発明に係るレーザービームポインターの構成図である。
【図３１】同実施の形態２８の発明に係るレーザービームポインターの構成図である。
【図３２】同実施の形態２９の発明に係るレーザービームポインターの構成図である。
【図３３】同実施の形態３０の発明に係るレーザービームポインターの構成図である。
【図１】
0004865959.tif 000002
【図２】
0004865959.tif 000003
【図３】
0004865959.tif 000004
【図４】
0004865959.tif 000005
【図５】
0004865959.tif 000006
【図６】
0004865959.tif 000007
【図７】
0004865959.tif 000008
【図８】
0004865959.tif 000009
【図９】
0004865959.tif 000010
【図１０】
0004865959.tif 000011
【図１１】
0004865959.tif 000012
【図１２】
0004865959.tif 000013
【図１３】
0004865959.tif 000014
【図１４】
0004865959.tif 000015
【図１５】
0004865959.tif 000016
【図１６】
0004865959.tif 000017
【図１７】
0004865959.tif 000018
【図１８】
0004865959.tif 000019
【図１９】
0004865959.tif 000020
【図２０】
0004865959.tif 000021
【図２１】
0004865959.tif 000022
【図２２】
0004865959.tif 000023
【図２３】
0004865959.tif 000024
【図２４】
0004865959.tif 000025
【図２５】
0004865959.tif 000026
【図２６】
0004865959.tif 000027
【図２７】
0004865959.tif 000028
【図２８】
0004865959.tif 000029
【図２９】
0004865959.tif 000030
【図３０】
0004865959.tif 000031
【図３１】
0004865959.tif 000032
【図３２】
0004865959.tif 000033
【図３３】
0004865959.tif 000034